(57)【特許請求の範囲】
【請求項１】
無線通信方法であって、
ユーザ機器が、ハイブリッド自動反復要求（ＨＡＲＱ）プロセスの識別子オフセットを決定することと、
前記ユーザ機器が、前記ＨＡＲＱプロセスの前記識別子オフセットに基づいて、以下の関係
【化１−１】
0006902115.tif 000054
を使用して前記ＨＡＲＱプロセスの識別子を決定することであって、
式中、ＨＡＲＱ＿ＰＩＤは、前記ＨＡＲＱプロセスの前記識別子に対応し、ａは、前記ＨＡＲＱプロセスの前記識別子オフセットに対応し、Ｔは、半持続的スケジューリング（ＳＰＳ）間隔に対応し、ｍは、ＳＰＳ  ＨＡＲＱプロセスの数に対応し、
【化１−２】
0006902115.tif 000055
は、切り捨ての演算に対応し、ＭＯＤは、モジュロ演算に対応し、ｔは、所定の関係に基づいて決定される、ことと、
前記ユーザ機器が、前記ＨＡＲＱプロセスの前記識別子に従って、前記ＨＡＲＱプロセスを実行することと
を含み、
前記ＨＡＲＱプロセスの前記識別子オフセットを決定することは、
前記ユーザ機器の複数のＳＰＳ構成における前記ＳＰＳ構成のソート位置を決定することと、
前記ＳＰＳ構成の前記ソート位置に従って、前記ＳＰＳ構成に対応する前記ＨＡＲＱプロセスの前記識別子オフセットを決定することと
を含み、
第１のソート位置を有するＳＰＳ構成のＨＡＲＱプロセスの識別子オフセットａ１は、固定値であり、ａ１は、０または自然数であり、前記第１のソート位置を有する前記ＳＰＳ構成以外の前記複数のＳＰＳ構成のうちの任意の１つのＨＡＲＱプロセスの識別子オフセットａｉは、以下の条件
【化１−３】
0006902115.tif 000056
を満たし、ｍｉは、ｉ番目のＳＰＳ構成に対応するＳＰＳ  ＨＡＲＱプロセスの数である、方法。
【請求項２】
ハイブリッド自動反復要求（ＨＡＲＱ）プロセスの識別子オフセットを決定することは、
前記ユーザ機器が、ＳＰＳ構成に対応する前記ＨＡＲＱプロセスの前記識別子オフセットを受信すること
をさらに含む、請求項１に記載の方法。
【請求項３】
前記所定の関係は、
【化１−４】
0006902115.tif 000057
を含み、
式中、ｎ＿ＳＦＮは、前記ＨＡＲＱプロセスによって使用されるＳＰＳ無線リソースに対応するシステムフレーム番号であり、Ｍは、１つの無線フレーム内に含まれる無線サブフレームの数であり、ｎ＿Ｓｕｂは、前記ＨＡＲＱプロセスによって使用される前記ＳＰＳ無線リソースに対応する無線サブフレーム番号である、請求項１に記載の方法。
【請求項４】
前記所定の関係は、
【化１−５】
0006902115.tif 000058
を含み、
式中、ｎ＿ＳＦＮは、前記ＨＡＲＱプロセスによって使用されるＳＰＳ無線リソースに対応するシステムフレーム番号であり、Ｍは、１つの無線フレーム内に含まれる無線サブフレームの数であり、ｎ＿Ｓｕｂは、前記ＨＡＲＱプロセスによって使用される前記ＳＰＳ無線リソースに対応する無線サブフレーム番号であり、Ｎ＿ｓｏｌｔは、１つの無線サブフレーム内に含まれるスロットの数であり、ｎ＿ｓｌｏｔは、前記ＨＡＲＱプロセスによって使用される前記ＳＰＳ無線リソースに対応するスロットシリアル番号である、請求項１に記載の方法。
【請求項５】
無線通信方法であって、
アクセスネットワークのネットワーク側ネットワーク要素が、ハイブリッド自動反復要求（ＨＡＲＱ）プロセスの識別子オフセットを決定することと、
前記ネットワーク側ネットワーク要素が、前記ＨＡＲＱプロセスの前記識別子オフセットに基づいて、以下の関係
【化１−６】
0006902115.tif 000059
を使用して前記ＨＡＲＱプロセスの識別子を決定することであって、
式中、ＨＡＲＱ＿ＰＩＤは、前記ＨＡＲＱプロセスの前記識別子に対応し、ａは、前記ＨＡＲＱプロセスの前記識別子オフセットに対応し、Ｔは、半持続的スケジューリング（ＳＰＳ）間隔に対応し、ｍは、ＳＰＳ  ＨＡＲＱプロセスの数に対応し、
【化１−７】
0006902115.tif 000060
は、切り捨ての演算に対応し、ＭＯＤは、モジュロ演算に対応し、ｔは、所定の関係に基づいて決定される、ことと、
前記ネットワーク側ネットワーク要素が、前記ＨＡＲＱプロセスの前記識別子に従って、前記ＨＡＲＱプロセスを実行することと
を含み、
前記ＨＡＲＱプロセスの前記識別子オフセットを決定することは、
前記ユーザ機器の複数のＳＰＳ構成における前記ＳＰＳ構成のソート位置を決定することと、
前記ＳＰＳ構成の前記ソート位置に従って、前記ＳＰＳ構成に対応する前記ＨＡＲＱプロセスの前記識別子オフセットを決定することと
を含み、
第１のソート位置を有するＳＰＳ構成のＨＡＲＱプロセスの識別子オフセットａ１は、固定値であり、ａ１は、０または自然数であり、前記第１のソート位置を有する前記ＳＰＳ構成以外の前記複数のＳＰＳ構成のうちの任意の１つのＨＡＲＱプロセスの識別子オフセットａｉは、以下の条件
【化１−８】
0006902115.tif 000061
を満たし、ｍｉは、ｉ番目のＳＰＳ構成に対応するＳＰＳ  ＨＡＲＱプロセスの数である、方法。
【請求項６】
ハイブリッド自動反復要求（ＨＡＲＱ）プロセスの識別子オフセットを決定することは、
前記ネットワーク側ネットワーク要素が、ＳＰＳ構成に対応する前記ＨＡＲＱプロセスの前記識別子オフセットを構成すること
をさらに含む、請求項５に記載の方法。
【請求項７】
前記所定の関係は、
【化１−９】
0006902115.tif 000062
を含み、
式中、ｎ＿ＳＦＮは、前記ＨＡＲＱプロセスによって使用されるＳＰＳ無線リソースに対応するシステムフレーム番号であり、Ｍは、１つの無線フレーム内に含まれる無線サブフレームの数であり、ｎ＿Ｓｕｂは、前記ＨＡＲＱプロセスによって使用される前記ＳＰＳ無線リソースに対応する無線サブフレーム番号である、請求項５に記載の方法。
【請求項８】
前記所定の関係は、
【化１−１０】
0006902115.tif 000063
を含み、
式中、ｎ＿ＳＦＮは、前記ＨＡＲＱプロセスによって使用されるＳＰＳ無線リソースに対応するシステムフレーム番号であり、Ｍは、１つの無線フレーム内に含まれる無線サブフレームの数であり、ｎ＿Ｓｕｂは、前記ＨＡＲＱプロセスによって使用される前記ＳＰＳ無線リソースに対応する無線サブフレーム番号であり、Ｎ＿ｓｏｌｔは、１つの無線サブフレーム内に含まれるスロットの数であり、ｎ＿ｓｌｏｔは、前記ＨＡＲＱプロセスによって使用される前記ＳＰＳ無線リソースに対応するスロットシリアル番号である、請求項５に記載の方法。
【請求項９】
ユーザ機器であって、前記ユーザ機器は、
プロセッサと、
メモリであって、前記メモリは、その上に記憶されたプロセッサ実行可能な命令を含む、メモリと
を備え、
前記プロセッサ実行可能な命令は、前記１つ以上のプロセッサによって実行されると、
ハイブリッド自動反復要求（ＨＡＲＱ）プロセスの識別子オフセットを決定することと、
前記ＨＡＲＱプロセスの前記識別子オフセットに基づいて、以下の関係
【化１−１１】
0006902115.tif 000064
を使用して前記ＨＡＲＱプロセスの識別子を決定することであって、
式中、ＨＡＲＱ＿ＰＩＤは、前記ＨＡＲＱプロセスの前記識別子に対応し、ａは、前記ＨＡＲＱプロセスの前記識別子オフセットに対応し、Ｔは、半持続的スケジューリング（ＳＰＳ）間隔に対応し、ｍは、ＳＰＳ  ＨＡＲＱプロセスの数に対応し、
【化１−１２】
0006902115.tif 000065
は、切り捨ての演算に対応し、ＭＯＤは、モジュロ演算に対応し、ｔは、所定の関係に基づいて決定される、ことと、
前記ＨＡＲＱプロセスの前記識別子に従って、前記ＨＡＲＱプロセスを実行することと
を行うように、前記１つ以上のプロセッサを構成し、
前記ＨＡＲＱプロセスの前記識別子オフセットを決定することは、
前記ユーザ機器の複数のＳＰＳ構成における前記ＳＰＳ構成のソート位置を決定することと、
前記ＳＰＳ構成の前記ソート位置に従って、前記ＳＰＳ構成に対応する前記ＨＡＲＱプロセスの前記識別子オフセットを決定することと
を含み、
第１のソート位置を有するＳＰＳ構成のＨＡＲＱプロセスの識別子オフセットａ１は、固定値であり、ａ１は、０または自然数であり、前記第１のソート位置を有する前記ＳＰＳ構成以外の前記複数のＳＰＳ構成のうちの任意の１つのＨＡＲＱプロセスの識別子オフセットａｉは、以下の条件
【化１−１３】
0006902115.tif 000066
を満たし、ｍｉは、ｉ番目のＳＰＳ構成に対応するＳＰＳ  ＨＡＲＱプロセスの数である、ユーザ機器。
【請求項１０】
前記プロセッサ実行可能な命令は、前記１つ以上のプロセッサによって実行されると、
ＳＰＳ構成に対応する前記ＨＡＲＱプロセスの前記識別子オフセットを受信すること
を行うように、前記１つ以上のプロセッサを構成する、請求項９に記載のユーザ機器。
【請求項１１】
前記所定の関係は、
【化１−１４】
0006902115.tif 000067
を含み、
式中、ｎ＿ＳＦＮは、前記ＨＡＲＱプロセスによって使用されるＳＰＳ無線リソースに対応するシステムフレーム番号であり、Ｍは、１つの無線フレーム内に含まれる無線サブフレームの数であり、ｎ＿Ｓｕｂは、前記ＨＡＲＱプロセスによって使用される前記ＳＰＳ無線リソースに対応する無線サブフレーム番号である、請求項９に記載のユーザ機器。
【請求項１２】
前記所定の関係は、
【化１−１５】
0006902115.tif 000068
を含み、
式中、ｎ＿ＳＦＮは、前記ＨＡＲＱプロセスによって使用されるＳＰＳ無線リソースに対応するシステムフレーム番号であり、Ｍは、１つの無線フレーム内に含まれる無線サブフレームの数であり、ｎ＿Ｓｕｂは、前記ＨＡＲＱプロセスによって使用される前記ＳＰＳ無線リソースに対応する無線サブフレーム番号であり、Ｎ＿ｓｏｌｔは、１つの無線サブフレーム内に含まれるスロットの数であり、ｎ＿ｓｌｏｔは、前記ＨＡＲＱプロセスによって使用される前記ＳＰＳ無線リソースに対応するスロットシリアル番号である、請求項９に記載のユーザ機器。
【請求項１３】
アクセスネットワークのネットワーク側ネットワーク要素であって、前記ネットワーク側ネットワーク要素は、
プロセッサと、
メモリであって、前記メモリは、その上に記憶されたプロセッサ実行可能な命令を含む、メモリと
を備え、
前記プロセッサ実行可能な命令は、前記１つ以上のプロセッサによって実行されると、
ハイブリッド自動反復要求（ＨＡＲＱ）プロセスの識別子オフセットを決定することと、
ＳＰＳ構成に対応する前記ＨＡＲＱプロセスの前記識別子オフセットを構成することと、
前記ＨＡＲＱプロセスの前記識別子オフセットに基づいて、以下の関係
【化１−１６】
0006902115.tif 000069
を使用して前記ＨＡＲＱプロセスの識別子を決定することであって、
式中、ＨＡＲＱ＿ＰＩＤは、前記ＨＡＲＱプロセスの前記識別子に対応し、ａは、前記ＨＡＲＱプロセスの前記識別子オフセットに対応し、Ｔは、半持続的スケジューリング（ＳＰＳ）間隔に対応し、ｍは、ＳＰＳ  ＨＡＲＱプロセスの数に対応し、
【化１−１７】
0006902115.tif 000070
は、切り捨ての演算に対応し、ＭＯＤは、モジュロ演算に対応し、ｔは、所定の関係に基づいて決定される、ことと、
前記ＨＡＲＱプロセスの前記識別子に従って、前記ＨＡＲＱプロセスを実行することと
を行うように、前記１つ以上のプロセッサを構成し、
前記所定の関係は、
【化１−１８】
0006902115.tif 000071
という関係であって、
式中、ｎ＿ＳＦＮは、前記ＨＡＲＱプロセスによって使用されるＳＰＳ無線リソースに対応するシステムフレーム番号であり、Ｍは、１つの無線フレーム内に含まれる無線サブフレームの数であり、ｎ＿Ｓｕｂは、前記ＨＡＲＱプロセスによって使用される前記ＳＰＳ無線リソースに対応する無線サブフレーム番号である、関係、または、
【化１−１９】
0006902115.tif 000072
という関係であって、
式中、ｎ＿ＳＦＮは、前記ＨＡＲＱプロセスによって使用されるＳＰＳ無線リソースに対応するシステムフレーム番号であり、Ｍは、１つの無線フレーム内に含まれる無線サブフレームの数であり、ｎ＿Ｓｕｂは、前記ＨＡＲＱプロセスによって使用される前記ＳＰＳ無線リソースに対応する無線サブフレーム番号であり、Ｎ＿ｓｏｌｔは、１つの無線サブフレーム内に含まれるスロットの数であり、ｎ＿ｓｌｏｔは、前記ＨＡＲＱプロセスによって使用される前記ＳＰＳ無線リソースに対応するスロットシリアル番号である、関係
を含み、
前記ＨＡＲＱプロセスの前記識別子オフセットを決定することは、
前記ユーザ機器の複数のＳＰＳ構成における前記ＳＰＳ構成のソート位置を決定することと、
前記ＳＰＳ構成の前記ソート位置に従って、前記ＳＰＳ構成に対応する前記ＨＡＲＱプロセスの前記識別子オフセットを決定することと
を含み、
第１のソート位置を有するＳＰＳ構成のＨＡＲＱプロセスの識別子オフセットａ１は、固定値であり、ａ１は、０または自然数であり、前記第１のソート位置を有する前記ＳＰＳ構成以外の前記複数のＳＰＳ構成のうちの任意の１つのＨＡＲＱプロセスの識別子オフセットａｉは、以下の条件
【化１−２０】
0006902115.tif 000073
を満たし、ｍｉは、ｉ番目のＳＰＳ構成に対応するＳＰＳ  ＨＡＲＱプロセスの数である、ネットワーク側ネットワーク要素。
【発明の詳細な説明】
【技術分野】
【０００１】
（関連出願の相互参照）
本願は、２０１７年５月５日に出願された中国特許出願第２０１７１０３１３３３０．  Ｘに対する優先権を主張するものであり、その開示は、その全体が参照により本明細書中に援用される。
本開示は、無線通信技術の分野に関し、特に、半持続的スケジューリングを使用してハイブリッド自動反復要求を伝送するための方法および装置に関する。
【背景技術】
【０００２】
第３世代パートナーシップ（３ＧＰＰ）の無線アクセスネットワーク技術では、スケジューリング様式である、半永続的スケジューリング（ＳＰＳ）が、導入されている。ＳＰＳ技術では、アクセスネットワークのネットワーク側要素（ロングタームエボリューション（ＬＴＥ）の進化型ノードＢ（ｅＮＢ）および第５世代（５Ｇ）通信技術／新しい無線におけるｇＮＢ等）は、無線リソース制御（ＲＲＣ）メッセージを通して、ユーザ機器（ＵＥ）のために、ＳＰＳ制御のためのＳＰＳ間隔およびＳＰＳセル無線ネットワーク一時識別子（Ｃ−ＲＮＴＩ）を構成する。アクセスネットワークのネットワーク側要素は、物理ダウンリンク制御チャネル（ＰＤＣＣＨ）においてＳＰＳ  Ｃ−ＲＮＴＩを使用してスクランブリングされたダウンリンク制御情報（ＤＣＩ）を伝送し、ＳＰＳのアクティブ化およびアクティブ化解除およびハイブリッド自動反復要求（ＨＡＲＱ）の再伝送を制御する。
【０００３】
関連技術では、前述のＳＰＳ  Ｃ−ＲＮＴＩのスクランブリングされたＤＣＩ内のセルの新しいデータインジケータ（ＮＤＩ）が、０に設定され、ＤＣＩ内のセル解放が、０に設定される場合、ＵＥは、ＳＰＳリソースを初期化または再初期化する。この場合、ＳＰＳリソースは、ダウンリンク割当（ＤＬ割当）またはアップリンクグラント（ＵＬグラント）であって、これは、ＤＣＩによって示され、ＳＰＳ間隔のサイクルにおいて繰り返し構成される。アップリンクＳＰＳリソースは、構成アップリンクグラントとも称され、ダウンリンクＳＰＳリソースは、構成ダウンリンク割当とも称される。実施例として、図１に示されるアップリンクＳＰＳリソースを使用すると、構成アップリンクグラントは、ＳＰＳ間隔において繰り返される。すなわち、ＳＰＳ間隔が、１０サブフレームであるとき、隣接する構成アップリンクグラントは、１０サブフレームによって離間される。
【０００４】
前述のＳＰＳ  Ｃ−ＲＮＴＩのスクランブリングされたＤＣＩ内のセルＮＤＩが、０に設定され、ＤＣＩ内のセル解放が、１に設定される場合、ＵＥは、構成ＳＰＳリソースを解放する。アップリンクＳＰＳリソースに関して、ＵＥは、構成アップリンクグラントを解放し、ダウンリンクＳＰＳリソースに関して、ＵＥは、構成ダウンリンク割当を解放する。
【０００５】
アップリンクＳＰＳリソースに関して、ＵＥは、無スケジューリング様式で構成アップリンクグラントを使用する、すなわち、ＵＥは、直接、上記に構成されるアップリンクグラントリソース内でアップリンクデータを伝送し、アクセスネットワークのネットワーク側ネットワーク要素がアップリンクグラント情報を伝送することを要求しない。ダウンリンクＳＰＳリソースに関して、ＵＥは、直接、構成ダウンリンク割当リソース内で物理ダウンリンク共有チャネル（ＰＤＳＣＨ）を受信する。
【０００６】
アップリンクＳＰＳリソースに関して、ＨＡＲＱが、非同期ＨＡＲＱであるとき、ＤＣＩ内のセルＮＤＩが、１に設定される場合、ＤＣＩは、ＨＡＲＱ再伝送インジケータである。ＤＣＩ内のプロセスＩＤ（ＰＩＤ）は、再伝送される必要があるＨＡＲＱのＰＩＤおよびＨＡＲＱ再伝送のためのアップリンクグラント情報を示す。ＵＥは、ＨＡＲＱ再伝送を示すＤＣＩを受信し、アップリンクグラント情報によって示されるアップリンクリソース内のＨＡＲＱ  ＰＩＤに対応するＨＡＲＱプロセスのバッファ内でデータトランスポートブロック（ＴＢ）を再伝送する。
【０００７】
ダウンリンクＳＰＳリソースに関して、ＨＡＲＱが、非同期ＨＡＲＱであるとき、ＤＣＩ内のセルＮＤＩが、１に設定される場合、ＤＣＩは、ダウンリンクＨＡＲＱ再伝送を示す。現時点で、ＤＣＩ内のセルＰＩＤは、再伝送される必要があるＨＡＲＱのＰＩＤを示す。
【０００８】
既存の３ＧＰＰ技術では、セルまたはキャリアは、１つのＨＡＲＱエンティティのみを有する。すなわち、セル内またはキャリア上のＨＡＲＱプロセスは、同一ＨＡＲＱエンティティに属し、異なるアップリンクＨＡＲＱプロセスまたはダウンリンクＨＡＲＱプロセスは、ＨＡＲＱエンティティ内の一意のＨＡＲＱ識別子を通して識別される。
【０００９】
関連技術では、ＨＡＲＱが、非同期ＨＡＲＱである場合、アップリンクＨＡＲＱ  ＰＩＤまたはダウンリンクＨＡＲＱ  ＰＩＤを決定するための方法は、下記に説明される。
【００１０】
アップリンクＨＡＲＱに関して、
【００１１】
ＵＥおよびアクセスネットワークのネットワーク側ネットワーク要素は、以下の式（１−１）を通した構成アップリンクグラントを使用して、アップリンクＨＡＲＱプロセスの識別子である、ＨＡＲＱ＿ＰＩＤを決定する。
【００１２】
【化１】
0006902115.tif 000002
【００１３】
上記の式では、Ｔは、ＳＰＳ間隔であって、ｍは、アップリンクＨＡＲＱプロセスの数であって、
【化２】
0006902115.tif 000003
は、切り捨てのための演算子であって、ＭＯＤは、モジュロ演算子であって、
【化３】
0006902115.tif 000004
であって、ｎ＿ＳＦＮは、アップリンクＨＡＲＱプロセスによって使用される構成アップリンクグラントに対応するシステムフレーム番号であって、Ｍは、１つの無線フレーム内に含まれる無線サブフレームの数であって、ｎ＿Ｓｕｂは、アップリンクＨＡＲＱプロセスによって使用される構成アップリンクグラントに対応する無線サブフレーム番号である。
【００１４】
ダウンリンクＨＡＲＱに関して、
【００１５】
ＵＥおよびアクセスネットワークのネットワーク側ネットワーク要素が、構成ダウンリンク割当を使用してダウンリンクＨＡＲＱプロセスの識別子を決定する、アプローチは、アップリンクＨＡＲＱのためのアプローチに類似し、同様に、式（１−１）を使用する。上記の式では、Ｔは、ＳＰＳ間隔であって、ｍは、ダウンリンクＨＡＲＱプロセスの数であって、
【化４】
0006902115.tif 000005
であって、ｎ＿ＳＦＮは、ダウンリンクＨＡＲＱプロセスによって使用される構成ダウンリンク割当に対応するシステムフレーム番号であって、Ｍは、１つの無線フレーム内に含まれる無線サブフレームの数であって、ｎ＿Ｓｕｂは、ダウンリンクＨＡＲＱプロセスによって使用される構成ダウンリンク割当に対応する無線サブフレーム番号である。
【００１６】
図２は、関連技術におけるアップリンクＳＰＳ  ＨＡＲＱ  ＰＩＤを計算する実施例である。本実施例では、構成アップリンクＳＰＳプロセスの数は、２であって、ＳＰＳ間隔は、１０無線サブフレームであって、第１の構成アップリンクグラントの開始サブフレームは、サブフレーム２である。アップリンク伝送が、０のシステムフレーム番号（ＳＮＦ）を伴う無線フレームの無線サブフレーム２の構成アップリンクグラント上で実施されるとき、アップリンクＳＰＳ  ＨＡＲＱ  ＰＩＤは、０である。アップリンク伝送が、１のＳＮＦを伴う無線フレームの無線サブフレーム２の構成アップリンクグラント上で実施されるとき、アップリンクＳＰＳ  ＨＡＲＱ  ＰＩＤは、１である。アップリンク伝送が、２のＳＮＦを伴う無線フレームの無線サブフレーム２の構成アップリンクグラント上で実施されるとき、アップリンクＳＰＳ  ＨＡＲＱ  ＰＩＤは、０である。以降同様に続く。
【００１７】
５Ｇ／ＮＲアクセス技術またはＬＴＥでは、１つのＵＥが、１つのセルまたは１つのキャリア内に複数のセットのＳＰＳ構成を構成する場合、異なるＳＰＳ構成の間隔およびアップリンクグラントリソースまたはダウンリンク割当リソースは、異なる。ＨＡＲＱが、非同期ＨＡＲＱであるとき、異なるＳＰＳ構成を使用した異なるＨＡＲＱプロセスの識別子が、関連技術における様式を使用することによって計算される場合、ＨＡＲＱプロセスの識別子における競合が、生じるであろう、すなわち、異なるＨＡＲＱプロセスの識別子が、同一となる。
【発明の概要】
【課題を解決するための手段】
【００１８】
本開示の実施形態は、ＳＰＳ構成のＨＡＲＱの識別子を決定し、異なるＳＰＳ構成のＨＡＲＱプロセスの識別子における競合を回避するために、半持続的スケジューリング（ＳＰＳ）を使用してハイブリッド自動反復要求（ＨＡＲＱ）を伝送するための方法および装置を提供し得る。
【００１９】
本開示の実施形態は、アクセスネットワークのネットワーク側ネットワーク要素に適用される、半持続的スケジューリングを使用してハイブリッド自動反復要求を伝送するための方法を提供し、以下を含む。
【００２０】
ＳＰＳ無線リソースを使用して、ＨＡＲＱプロセスの識別子オフセットを決定し、ＨＡＲＱプロセスの識別子オフセットに従って、ＨＡＲＱプロセスの識別子を決定するステップ。
【００２１】
ユーザ機器を用いて、ＨＡＲＱプロセスの識別子に対応するＨＡＲＱプロセスの伝送を実施するステップ。
【００２２】
本開示の実施形態はさらに、ユーザ機器に適用される、半持続的スケジューリングを使用してハイブリッド自動反復要求を伝送するための方法を提供し、以下を含む。
【００２３】
ＳＰＳ無線リソースを使用して、ＨＡＲＱプロセスの識別子オフセットを決定し、ＨＡＲＱプロセスの識別子オフセットに従って、ＨＡＲＱプロセスの識別子を決定するステップ。
【００２４】
アクセスネットワークのネットワーク側ネットワーク要素を用いて、ＨＡＲＱプロセスの識別子に対応するＨＡＲＱプロセスの伝送を実施するステップ。
【００２５】
本開示の実施形態はさらに、アクセスネットワークのネットワーク側ネットワーク要素に適用される、半持続的スケジューリングを使用してハイブリッド自動反復要求を伝送するための装置を提供し、以下を含む。
【００２６】
ＳＰＳ無線リソースを使用して、ＨＡＲＱプロセスの識別子オフセットを決定し、ＨＡＲＱプロセスの識別子オフセットに従って、ＨＡＲＱプロセスの識別子を決定するように配列される、ＨＡＲＱプロセス識別子決定モジュール。
【００２７】
ユーザ機器を用いて、ＨＡＲＱプロセスの識別子に対応するＨＡＲＱプロセスの伝送を実施するように配列される、ＨＡＲＱプロセス伝送モジュール。
【００２８】
本開示の実施形態はさらに、ユーザ機器に適用される、半持続的スケジューリングを使用してハイブリッド自動反復要求を伝送するための装置を提供し、以下を含む。
【００２９】
ＳＰＳ無線リソースを使用して、ＨＡＲＱプロセスの識別子オフセットを決定し、ＨＡＲＱプロセスの識別子オフセットに従って、ＨＡＲＱプロセスの識別子を決定するように配列される、ＨＡＲＱプロセス識別子決定モジュール。
【００３０】
アクセスネットワークのネットワーク側ネットワーク要素を用いて、ＨＡＲＱプロセスの識別子に対応するＨＡＲＱプロセスの伝送を実施するように配列される、ＨＡＲＱプロセス伝送モジュール。
【００３１】
本開示の実施形態はさらに、半持続的スケジューリングを使用してハイブリッド自動反復要求を伝送するための装置を提供し、プロセッサと、プロセッサ内で実行されることが可能なコンピュータプログラムを記憶するように配列される、メモリとを含む。
【００３２】
プロセッサは、実行されると、アクセスネットワークのネットワーク側ネットワーク要素に適用される、半持続的スケジューリングを使用してハイブリッド自動反復要求を伝送するための方法のステップを実行する、またはユーザ機器に適用される、半持続的スケジューリングを使用してハイブリッド自動反復要求を伝送するための方法のステップを実行する、コンピュータプログラムを実行するように配列される。
【００３３】
本開示の実施形態はさらに、プロセッサによって実行されると、アクセスネットワークのネットワーク側ネットワーク要素に適用される、半持続的スケジューリングを使用してハイブリッド自動反復要求を伝送するための方法のステップを実装する、またはユーザ機器に適用される、半持続的スケジューリングを使用してハイブリッド自動反復要求を伝送するための方法のステップを実行する、コンピュータプログラムを記憶するように配列される、コンピュータ記憶媒体を提供する。
【００３４】
本開示の実施形態によって提供される、半持続的スケジューリングを使用してハイブリッド自動反復要求を伝送するための方法および装置では、アクセスネットワークのネットワーク側ネットワーク要素またはユーザ機器は、ＳＰＳ無線リソースを使用して、ＨＡＲＱプロセスの識別子オフセットを決定し、ＨＡＲＱプロセスの識別子オフセットに従って、ＨＡＲＱプロセスの識別子を決定し、ＨＡＲＱプロセスの識別子に対応するＨＡＲＱプロセスの伝送は、アクセスネットワークのネットワーク側ネットワーク要素とユーザ機器との間で実施される。本開示の実施形態の技術的ソリューションは、ＳＰＳ構成のＨＡＲＱの識別子を決定し、異なるＳＰＳ構成のＨＡＲＱプロセスの識別子における競合を回避し得る。
例えば、本願は以下の項目を提供する。
（項目１）
アクセスネットワークのネットワーク側ネットワーク要素に適用される半持続的スケジューリング（ＳＰＳ）を使用してハイブリッド自動反復要求（ＨＡＲＱ）を伝送するための方法であって、
ＳＰＳ無線リソースを使用して、ＨＡＲＱプロセスの識別子オフセットを決定し、上記ＨＡＲＱプロセスの識別子オフセットに従って、上記ＨＡＲＱプロセスの識別子を決定するステップと、
ユーザ機器を用いて、上記ＨＡＲＱプロセスの識別子に対応する上記ＨＡＲＱプロセスの伝送を実施するステップと
を含む、方法。
（項目２）
上記ＳＰＳ無線リソースを使用して上記ＨＡＲＱプロセスの識別子オフセットを決定するステップは、
ユーザ機器のためにＳＰＳ構成に対応するＨＡＲＱプロセスの識別子オフセットを構成するステップ、または
上記ユーザ機器と合意された様式でＳＰＳ構成に対応するＨＡＲＱプロセスの識別子オフセットを決定するステップ
を含む、項目１に記載の方法。
（項目３）
上記ＳＰＳ構成に対応する上記ＨＡＲＱプロセスの識別子オフセットに従って上記ＨＡＲＱプロセスの識別子を決定するステップは、以下の様式を使用することによって、上記ＨＡＲＱプロセスの識別子を決定するステップを含み、
【数１】
0006902115.tif 000006
式中、ＨＡＲＱ＿ＰＩＤは、上記ＨＡＲＱプロセスの識別子を示し、ａは、上記ＳＰＳ構成に対応する上記ＨＡＲＱプロセスの識別子オフセットであり、Ｔは、上記ＳＰＳ構成に対応するＳＰＳ間隔であり、ｍは、上記ＳＰＳ構成に対応するＳＰＳ  ＨＡＲＱプロセスの数であり、
【数２】
0006902115.tif 000007
は、切り捨てのための演算子であり、ＭＯＤは、モジュロ演算子であり、
ｔは、以下の様式を通して計算され、
【数３】
0006902115.tif 000008
式中、ｎ＿ＳＦＮは、上記ＨＡＲＱプロセスによって使用される上記ＳＰＳ無線リソースに対応するシステムフレーム番号であり、Ｍは、１つの無線フレーム内に含まれる無線サブフレームの数であり、ｎ＿Ｓｕｄは、上記ＨＡＲＱプロセスによって使用される上記ＳＰＳ無線リソースに対応する無線サブフレーム番号であり、Ｎ＿ｓｏｌｔは、１つのサブフレーム内に含まれるスロットの数であり、ｎ＿ｓｌｏｔは、上記ＨＡＲＱプロセスによって使用される上記ＳＰＳ無線リソースに対応するスロットシリアル番号である、
項目２に記載の方法。
（項目４）
上記ユーザ機器と合意された様式で上記ＳＰＳ構成に対応する上記ＨＡＲＱプロセスの識別子オフセットを決定するステップは、
上記ユーザ機器の複数のＳＰＳ構成内の上記ＳＰＳ構成のソート位置を決定するステップと、
上記ＳＰＳ構成のソート位置に従って、上記ＳＰＳ構成に対応する上記ＨＡＲＱプロセスの識別子オフセットを決定するステップと
を含み、
第１のソート位置を伴うＳＰＳ構成のＨＡＲＱプロセスの識別子オフセットａ１は、固定値であり、ａ１は、０または自然数であり、上記第１のソート位置を伴うＳＰＳ構成以外の上記複数のＳＰＳ構成のうちの任意の１つのＨＡＲＱプロセスの識別子オフセットａｉは、以下の条件を満たし、
【数４】
0006902115.tif 000009
式中、ｍｉは、ｉ番目のＳＰＳ構成に対応するＳＰＳ  ＨＡＲＱプロセスの数である、
項目３に記載の方法。
（項目５）
上記ユーザ機器の複数のＳＰＳ構成内の上記ＳＰＳ構成のソート位置を決定するステップは、以下の様式のうちの任意の１つ、すなわち、
無線リソース制御（ＲＲＣ）構成メッセージ内の上記複数のＳＰＳ構成の出現の順序に従って、上記複数のＳＰＳ構成をソートするステップと、
それぞれ、上記複数のＳＰＳ構成によって使用される、無線リソースの時間ドメインユニットのサイズまたは伝送時間間隔（ＴＴＩ）持続時間のサイズに従って、上記複数のＳＰＳ構成をソートするステップと、
上記複数のＳＰＳ構成の最初のアクティブ化の時間順序に従って、上記複数のＳＰＳ構成をソートするステップと、
構成メッセージ内の上記複数のＳＰＳ構成の指定されるシーケンス番号に従って、上記複数のＳＰＳ構成をソートするステップと
を使用することによって、上記複数のＳＰＳ構成の順序を決定するステップを含む、項目４に記載の方法。
（項目６）
上記ＨＡＲＱプロセスは、構成アップリンクグラントを使用したアップリンクＨＡＲＱプロセス、または構成ダウンリンク割当を使用したダウンリンクＨＡＲＱプロセスであり、
上記アップリンクＨＡＲＱプロセスに関して、上記ＳＰＳ無線リソースは、上記構成アップリンクグラントを指し、上記ＨＡＲＱプロセスの識別子オフセットは、アップリンク伝送のための上記アップリンクＨＡＲＱプロセスの識別子オフセットを指し、上記ＳＰＳ  ＨＡＲＱプロセスの数は、上記構成アップリンクグラントを使用したアップリンクＨＡＲＱプロセスの数を指し、
上記ダウンリンクＨＡＲＱプロセスに関して、上記ＳＰＳ無線リソースは、上記構成ダウンリンク割当を指し、上記ＨＡＲＱプロセスの識別子オフセットは、上記ダウンリンクＨＡＲＱプロセスの識別子オフセットを指し、上記ＳＰＳ  ＨＡＲＱプロセスの数は、上記構成ダウンリンク割当を使用したダウンリンクＨＡＲＱプロセスの数を指す、
項目１−５のいずれか１項に記載の方法。
（項目７）
ユーザ機器に適用される半持続的スケジューリング（ＳＰＳ）を使用してハイブリッド自動反復要求（ＨＡＲＱ）を伝送するための方法であって、
ＳＰＳ無線リソースを使用して、ＨＡＲＱプロセスの識別子オフセットを決定し、上記ＨＡＲＱプロセスの識別子オフセットに従って、上記ＨＡＲＱプロセスの識別子を決定するステップと、
アクセスネットワークのネットワーク側ネットワーク要素を用いて、上記ＨＡＲＱプロセスの識別子に対応する上記ＨＡＲＱプロセスの伝送を実施するステップと
を含む、方法。
（項目８）
上記ＳＰＳ無線リソースを使用して上記ＨＡＲＱプロセスの識別子オフセットを決定するステップは、
上記ユーザ機器のために、上記アクセスネットワークのネットワーク側ネットワーク要素によって構成される、ＳＰＳ構成に対応するＨＡＲＱプロセスの識別子オフセットを受信するステップ、または
上記アクセスネットワークのネットワーク側ネットワーク要素と合意された様式でＳＰＳ構成に対応するＨＡＲＱプロセスの識別子オフセットを決定するステップ
を含む、項目７に記載の方法。
（項目９）
上記ＳＰＳ構成に対応する上記ＨＡＲＱプロセスの識別子オフセットに従って上記ＨＡＲＱプロセスの識別子を決定するステップは、以下の様式を使用することによって、上記ＨＡＲＱプロセスの識別子を決定するステップを含み、
【数５】
0006902115.tif 000010
式中、ＨＡＲＱ＿ＰＩＤは、上記ＨＡＲＱプロセスの識別子を示し、ａは、上記ＳＰＳ構成に対応する上記ＨＡＲＱプロセスの識別子オフセットであり、Ｔは、上記ＳＰＳ構成に対応するＳＰＳ間隔であり、ｍは、上記ＳＰＳ構成に対応するＳＰＳ  ＨＡＲＱプロセスの数であり、
【数６】
0006902115.tif 000011
は、切り捨てのための演算子であり、ＭＯＤは、モジュロ演算子であり、
ｔは、以下の様式を通して計算され、
【数７】
0006902115.tif 000012
式中、ｎ＿ＳＦＮは、上記ＨＡＲＱプロセスによって使用される上記ＳＰＳ無線リソースに対応するシステムフレーム番号であり、Ｍは、１つの無線フレーム内に含まれる無線サブフレームの数であり、ｎ＿Ｓｕｄは、上記ＨＡＲＱプロセスによって使用される上記ＳＰＳ無線リソースに対応する無線サブフレーム番号であり、Ｎ＿ｓｏｌｔは、１つのサブフレーム内に含まれるスロットの数であり、ｎ＿ｓｌｏｔは、上記ＨＡＲＱプロセスによって使用される上記ＳＰＳ無線リソースに対応するスロットシリアル番号である、
項目８に記載の方法。
（項目１０）
上記アクセスネットワークのネットワーク側ネットワーク要素と合意された様式で上記ＳＰＳ構成に対応する上記ＨＡＲＱプロセスの識別子オフセットを決定するステップは、
上記ユーザ機器の複数のＳＰＳ構成内の上記ＳＰＳ構成のソート位置を決定するステップと、
上記ＳＰＳ構成のソート位置に従って、上記ＳＰＳ構成に対応する上記ＨＡＲＱプロセスの識別子オフセットを決定するステップと
を含み、
第１のソート位置を伴うＳＰＳ構成のＨＡＲＱプロセスの識別子オフセットａ１は、固定値であり、ａ１は、０または自然数であり、上記第１のソート位置を伴うＳＰＳ構成以外の上記複数のＳＰＳ構成のうちの任意の１つのＨＡＲＱプロセスの識別子オフセットａｉは、以下の条件を満たし、
【数８】
0006902115.tif 000013
式中、ｍｉは、ｉ番目のＳＰＳ構成に対応するＳＰＳ  ＨＡＲＱプロセスの数である、
項目９に記載の方法。
（項目１１）
上記ユーザ機器の複数のＳＰＳ構成内の上記ＳＰＳ構成のソート位置を決定するステップは、以下の様式のうちの任意の１つ、すなわち、
無線リソース制御（ＲＲＣ）構成メッセージ内の上記複数のＳＰＳ構成の出現の順序に従って、上記複数のＳＰＳ構成をソートするステップと、
それぞれ、上記複数のＳＰＳ構成によって使用される、無線リソースの時間ドメインユニットのサイズまたは伝送時間間隔（ＴＴＩ）持続時間のサイズに従って、上記複数のＳＰＳ構成をソートするステップと、
上記複数のＳＰＳ構成の最初のアクティブ化の時間順序に従って、上記複数のＳＰＳ構成をソートするステップと、
構成メッセージ内の上記複数のＳＰＳ構成の指定されるシーケンス番号に従って、上記複数のＳＰＳ構成をソートするステップと
を使用することによって、上記複数のＳＰＳ構成の順序を決定するステップを含む、項目１０に記載の方法。
（項目１２）
上記ＨＡＲＱプロセスは、構成アップリンクグラントを使用したアップリンクＨＡＲＱプロセス、または構成ダウンリンク割当を使用したダウンリンクＨＡＲＱプロセスであり、
上記アップリンクＨＡＲＱプロセスに関して、上記ＳＰＳ無線リソースは、上記構成アップリンクグラントを指し、上記ＨＡＲＱプロセスの識別子オフセットは、アップリンク伝送のための上記アップリンクＨＡＲＱプロセスの識別子オフセットを指し、上記ＳＰＳ  ＨＡＲＱプロセスの数は、上記構成アップリンクグラントを使用したアップリンクＨＡＲＱプロセスの数を指し、
上記ダウンリンクＨＡＲＱプロセスに関して、上記ＳＰＳ無線リソースは、上記構成ダウンリンク割当を指し、上記ＨＡＲＱプロセスの識別子オフセットは、上記ダウンリンクＨＡＲＱプロセスの識別子オフセットを指し、上記ＳＰＳ  ＨＡＲＱプロセスの数は、上記構成ダウンリンク割当を使用したダウンリンクＨＡＲＱプロセスの数を指す、
項目７−１１のいずれか１項に記載の方法。
（項目１３）
アクセスネットワークのネットワーク側ネットワーク要素に適用される、半持続的スケジューリング（ＳＰＳ）を使用してハイブリッド自動反復要求（ＨＡＲＱ）を伝送するための装置であって、
ＳＰＳ無線リソースを使用してＨＡＲＱプロセスの識別子オフセットを決定し、上記ＨＡＲＱプロセスの識別子オフセットに従って、上記ＨＡＲＱプロセスの識別子を決定するように構成される、ＨＡＲＱプロセス識別子決定モジュールと、
ユーザ機器を用いて、上記ＨＡＲＱプロセスの識別子に対応する上記ＨＡＲＱプロセスの伝送を実施するように構成される、ＨＡＲＱプロセス伝送モジュールと
を備える、装置。
（項目１４）
上記ＨＡＲＱプロセス識別子決定モジュールは、以下の様式、すなわち、
ユーザ機器のためにＳＰＳ構成に対応するＨＡＲＱプロセスの識別子オフセットを構成するステップ、または
上記ユーザ機器と合意された様式でＳＰＳ構成に対応するＨＡＲＱプロセスの識別子オフセットを決定するステップ
を使用することによって、上記ＳＰＳ無線リソースを使用して上記ＨＡＲＱプロセスの識別子オフセットを決定するように構成される、項目１３に記載の装置。
（項目１５）
上記ＨＡＲＱプロセス識別子決定モジュールは、以下の様式を使用することによって、上記ＳＰＳ構成に対応する上記ＨＡＲＱプロセスの識別子オフセットに従って、上記ＨＡＲＱプロセスの識別子を決定するように構成され、
【数９】
0006902115.tif 000014
式中、ＨＡＲＱ＿ＰＩＤは、上記ＨＡＲＱプロセスの識別子を示し、ａは、上記ＳＰＳ構成に対応する上記ＨＡＲＱプロセスの識別子オフセットであり、Ｔは、上記ＳＰＳ構成に対応するＳＰＳ間隔であり、ｍは、上記ＳＰＳ構成に対応するＳＰＳ  ＨＡＲＱプロセスの数であり、
【数１０】
0006902115.tif 000015
は、切り捨てのための演算子であり、ＭＯＤは、モジュロ演算子であり、
ｔは、以下の様式を通して計算され、
【数１１】
0006902115.tif 000016
式中、ｎ＿ＳＦＮは、上記ＨＡＲＱプロセスによって使用される上記ＳＰＳ無線リソースに対応するシステムフレーム番号であり、Ｍは、１つの無線フレーム内に含まれる無線サブフレームの数であり、ｎ＿Ｓｕｄは、上記ＨＡＲＱプロセスによって使用される上記ＳＰＳ無線リソースに対応する無線サブフレーム番号であり、Ｎ＿ｓｏｌｔは、１つの無線フレーム内に含まれるスロットの数であり、ｎ＿ｓｌｏｔは、上記ＨＡＲＱプロセスによって使用される上記ＳＰＳ無線リソースに対応するスロットシリアル番号である、
項目１４に記載の装置。
（項目１６）
上記ＨＡＲＱプロセス識別子決定モジュールは、以下の様式、すなわち、
上記ユーザ機器の複数のＳＰＳ構成内の上記ＳＰＳ構成のソート位置を決定するステップと、
上記ＳＰＳ構成のソート位置に従って、上記ＳＰＳ構成に対応する上記ＨＡＲＱプロセスの識別子オフセットを決定するステップと
を使用することによって、上記ユーザ機器と合意された様式で上記ＳＰＳ構成に対応する上記ＨＡＲＱプロセスの識別子オフセットを決定するように構成され、
第１のソート位置を伴うＳＰＳ構成のＨＡＲＱプロセスの識別子オフセットａ１は、固定値であり、ａ１は、０または自然数であり、上記第１のソート位置を伴うＳＰＳ構成以外の上記複数のＳＰＳ構成のうちの任意の１つのＨＡＲＱプロセスの識別子オフセットａｉは、以下の条件を満たし、
【数１２】
0006902115.tif 000017
式中、ｍｉは、ｉ番目のＳＰＳ構成に対応するＳＰＳ  ＨＡＲＱプロセスの数である、
項目１５に記載の装置。
（項目１７）
上記ＨＡＲＱプロセス識別子決定モジュールは、以下の様式のうちの任意の１つ、すなわち、
無線リソース制御（ＲＲＣ）構成メッセージ内の上記複数のＳＰＳ構成の出現の順序に従って、上記複数のＳＰＳ構成をソートするステップと、
それぞれ、上記複数のＳＰＳ構成によって使用される、無線リソースの時間ドメインユニットのサイズまたは伝送時間間隔（ＴＴＩ）持続時間のサイズに従って、上記複数のＳＰＳ構成をソートするステップと、
上記複数のＳＰＳ構成の最初のアクティブ化の時間順序に従って、上記複数のＳＰＳ構成をソートするステップと、
構成メッセージ内の上記複数のＳＰＳ構成の指定されるシーケンス番号に従って、上記複数のＳＰＳ構成をソートするステップと
を使用することによって、上記複数のＳＰＳ構成の順序を決定することによって、上記ユーザ機器の複数のＳＰＳ構成内の上記ＳＰＳ構成のソート位置を決定するように構成される、項目１６に記載の装置。
（項目１８）
上記ＨＡＲＱプロセスは、構成アップリンクグラントを使用したアップリンクＨＡＲＱプロセス、または構成ダウンリンク割当を使用したダウンリンクＨＡＲＱプロセスであり、
上記アップリンクＨＡＲＱプロセスに関して、上記ＳＰＳ無線リソースは、上記構成アップリンクグラントを指し、上記ＨＡＲＱプロセスの識別子オフセットは、アップリンク伝送のための上記アップリンクＨＡＲＱプロセスの識別子オフセットを指し、上記ＳＰＳ  ＨＡＲＱプロセスの数は、上記構成アップリンクグラントを使用したアップリンクＨＡＲＱプロセスの数を指し、
上記ダウンリンクＨＡＲＱプロセスに関して、上記ＳＰＳ無線リソースは、上記構成ダウンリンク割当を指し、上記ＨＡＲＱプロセスの識別子オフセットは、上記ダウンリンクＨＡＲＱプロセスの識別子オフセットを指し、上記ＳＰＳ  ＨＡＲＱプロセスの数は、上記構成ダウンリンク割当を使用したダウンリンクＨＡＲＱプロセスの数を指す、
項目１３−１７のいずれか１項に記載の装置。
（項目１９）
ユーザ機器に適用される、半持続的スケジューリング（ＳＰＳ）を使用してハイブリッド自動反復要求（ＨＡＲＱ）を伝送するための装置であって、
ＳＰＳ無線リソースを使用してＨＡＲＱプロセスの識別子オフセットを決定し、上記ＨＡＲＱプロセスの識別子オフセットに従って、上記ＨＡＲＱプロセスの識別子を決定するように構成される、ＨＡＲＱプロセス識別子決定モジュールと、
アクセスネットワークのネットワーク側ネットワーク要素を用いて、上記ＨＡＲＱプロセスの識別子に対応する上記ＨＡＲＱプロセスの伝送を実施するように構成される、ＨＡＲＱプロセス伝送モジュールと
を備える、装置。
（項目２０）
上記ＨＡＲＱプロセス識別子決定モジュールは、以下の様式、すなわち、
上記ユーザ機器のために、上記アクセスネットワークのネットワーク側ネットワーク要素によって構成される、ＳＰＳ構成に対応するＨＡＲＱプロセスの識別子オフセットを受信するステップ、または
上記アクセスネットワークのネットワーク側ネットワーク要素と合意された様式でＳＰＳ構成に対応するＨＡＲＱプロセスの識別子オフセットを決定するステップ
を使用することによって、上記ＳＰＳ無線リソースを使用して上記ＨＡＲＱプロセスの識別子オフセットを決定するように構成される、項目１９に記載の装置。
（項目２１）
上記ＨＡＲＱプロセス識別子決定モジュールは、以下の様式を使用することによって、上記ＳＰＳ構成に対応する上記ＨＡＲＱプロセスの識別子オフセットに従って、上記ＨＡＲＱプロセスの識別子を決定するように構成され、
【数１３】
0006902115.tif 000018
式中、ＨＡＲＱ＿ＰＩＤは、上記ＨＡＲＱプロセスの識別子を示し、ａは、上記ＳＰＳ構成に対応する上記ＨＡＲＱプロセスの識別子オフセットであり、Ｔは、上記ＳＰＳ構成に対応するＳＰＳ間隔であり、ｍは、上記ＳＰＳ構成に対応するＳＰＳ  ＨＡＲＱプロセスの数であり、
【数１４】
0006902115.tif 000019
は、切り捨てのための演算子であり、ＭＯＤは、モジュロ演算子であり、
ｔは、以下の様式を通して計算され、
【数１５】
0006902115.tif 000020
式中、ｎ＿ＳＦＮは、上記ＨＡＲＱプロセスによって使用される上記ＳＰＳ無線リソースに対応するシステムフレーム番号であり、Ｍは、１つの無線フレーム内に含まれる無線サブフレームの数であり、ｎ＿Ｓｕｄは、上記ＨＡＲＱプロセスによって使用される上記ＳＰＳ無線リソースに対応する無線サブフレーム番号であり、Ｎ＿ｓｏｌｔは、１つのサブフレーム内に含まれるスロットの数であり、ｎ＿ｓｌｏｔは、上記ＨＡＲＱプロセスによって使用される上記ＳＰＳ無線リソースに対応するスロットシリアル番号である、
項目２０に記載の装置。
（項目２２）
上記ＨＡＲＱプロセス識別子決定モジュールは、以下の様式、すなわち、
上記ユーザ機器の複数のＳＰＳ構成内の上記ＳＰＳ構成のソート位置を決定するステップと、
上記ＳＰＳ構成のソート位置に従って、上記ＳＰＳ構成に対応する上記ＨＡＲＱプロセスの識別子オフセットを決定するステップと
を使用することによって、上記アクセスネットワークのネットワーク側ネットワーク要素と合意された様式で上記ＳＰＳ構成に対応する上記ＨＡＲＱプロセスの識別子オフセットを決定するように構成され、
第１のソート位置を伴うＳＰＳ構成のＨＡＲＱプロセスの識別子オフセットａ１は、固定値であり、ａ１は、０または自然数であり、上記第１のソート位置を伴うＳＰＳ構成以外の上記複数のＳＰＳ構成のうちの任意の１つのＨＡＲＱプロセスの識別子オフセットａｉは、以下の条件を満たし、
【数１６】
0006902115.tif 000021
式中、ｍｉは、ｉ番目のＳＰＳ構成に対応するＳＰＳ  ＨＡＲＱプロセスの数である、
項目２１に記載の装置。
（項目２３）
上記ＨＡＲＱプロセス識別子決定モジュールは、以下の様式のうちの任意の１つ、すなわち、
無線リソース制御（ＲＲＣ）構成メッセージ内の上記複数のＳＰＳ構成の出現の順序に従って、上記複数のＳＰＳ構成をソートするステップと、
それぞれ、上記複数のＳＰＳ構成によって使用される、無線リソースの時間ドメインユニットのサイズまたは伝送時間間隔（ＴＴＩ）持続時間のサイズに従って、上記複数のＳＰＳ構成をソートするステップと、
上記複数のＳＰＳ構成の最初のアクティブ化の時間順序に従って、上記複数のＳＰＳ構成をソートするステップと、
構成メッセージ内の上記複数のＳＰＳ構成の指定されるシーケンス番号に従って、上記複数のＳＰＳ構成をソートするステップと
を使用することによって、上記複数のＳＰＳ構成の順序を決定することによって、上記ユーザ機器の複数のＳＰＳ構成内の上記ＳＰＳ構成のソート位置を決定するように構成される、項目２２に記載の装置。
（項目２４）
上記ＨＡＲＱプロセスは、構成アップリンクグラントを使用したアップリンクＨＡＲＱプロセス、または構成ダウンリンク割当を使用したダウンリンクＨＡＲＱプロセスであり、
上記アップリンクＨＡＲＱプロセスに関して、上記ＳＰＳ無線リソースは、上記構成アップリンクグラントを指し、上記ＨＡＲＱプロセスの識別子オフセットは、アップリンク伝送のための上記アップリンクＨＡＲＱプロセスの識別子オフセットを指し、上記ＳＰＳ  ＨＡＲＱプロセスの数は、上記構成アップリンクグラントを使用したアップリンクＨＡＲＱプロセスの数を指し、
上記ダウンリンクＨＡＲＱプロセスに関して、上記ＳＰＳ無線リソースは、上記構成ダウンリンク割当を指し、上記ＨＡＲＱプロセスの識別子オフセットは、上記ダウンリンクＨＡＲＱプロセスの識別子オフセットを指し、上記ＳＰＳ  ＨＡＲＱプロセスの数は、上記構成ダウンリンク割当を使用したダウンリンクＨＡＲＱプロセスの数を指す、
項目１９−２３のいずれか１項に記載の装置。
（項目２５）
半持続的スケジューリングを使用してハイブリッド自動反復要求を伝送するための装置であって、プロセッサと、上記プロセッサ内で実行されることが可能なコンピュータプログラムを記憶するように構成される、メモリとを備え、
上記プロセッサは、実行されると、項目１−６のいずれか１項に記載の方法を実行する、または項目７−１２のいずれか１項に記載の方法を実行する、上記コンピュータプログラムを実行するように構成される、装置。
（項目２６）
プロセッサによって実行されると、項目１−６のいずれか１項に記載の方法のステップを実装する、または項目７−１２のいずれか１項に記載の方法のステップを実装する、コンピュータプログラムを記憶するように構成される、コンピュータ可読記憶媒体。
【図面の簡単な説明】
【００３５】
【図１】図１は、関連技術における、ＳＰＳ間隔のサイクルにおいて繰り返し構成される、アップリンクグラントの概略図である。
【００３６】
【図２】図２は、関連技術における、アップリンクＳＰＳ  ＨＡＲＱプロセスＩＤを計算する概略図である。
【００３７】
【図３】図３は、本開示の実施形態１（アクセスネットワークのネットワーク側ネットワーク要素）による、半持続的スケジューリングを使用してハイブリッド自動反復要求を伝送するための方法のフローチャートである。
【００３８】
【図４】図４は、本開示の実施形態２（ユーザ機器）による、半持続的スケジューリングを使用してハイブリッド自動反復要求を伝送するための方法のフローチャートである。
【００３９】
【図５】図５は、本開示の実施形態３（アクセスネットワークのネットワーク側ネットワーク要素）による、半持続的スケジューリングを使用してハイブリッド自動反復要求を伝送するための装置の概略図である。
【００４０】
【図６】図６は、本開示の実施形態４（ユーザ機器）による、半持続的スケジューリングを使用してハイブリッド自動反復要求を伝送するための装置の概略図である。
【００４１】
【図７】図７は、本開示の実施例１による、アップリンクＨＡＲＱ再伝送の概略図である。
【００４２】
【図８】図８は、本開示の実施例３による、ダウンリンクＨＡＲＱ再伝送の概略図である。
【発明を実施するための形態】
【００４３】
本開示の目的、技術的ソリューション、および利点は、図面と併せて本開示の実施形態の詳細な説明からより明白となるであろう。矛盾しない場合、本願における実施形態および特徴は、相互に組み合わせられてもよいことに留意されたい。
【００４４】
実施形態１
【００４５】
図３に示されるように、本開示の実施形態は、半持続的スケジューリング（ＳＰＳ）を使用してハイブリッド自動反復要求（ＨＡＲＱ）を伝送するための方法を提供する。本方法は、下記に説明されるステップを含む。
【００４６】
ステップＳ３１０では、ＳＰＳ無線リソースを使用したＨＡＲＱプロセスの識別子オフセットが、決定され、ＨＡＲＱプロセスの識別子が、ＨＡＲＱプロセスの識別子オフセットに従って決定される。
【００４７】
ステップＳ３２０では、ＨＡＲＱプロセスの識別子に対応するＨＡＲＱプロセスの伝送が、ユーザ機器を用いて実施される。
【００４８】
ある実施形態では、ＳＰＳ無線リソースを使用したＨＡＲＱプロセスの識別子オフセットが決定されるステップは、ユーザ機器のためにＳＰＳ構成に対応するＨＡＲＱプロセスの識別子オフセットを構成するステップ、またはユーザ機器と合意された様式でＳＰＳ構成に対応するＨＡＲＱプロセスの識別子オフセットを決定するステップを含む。
【００４９】
ある実施形態では、ＨＡＲＱプロセスの識別子がＳＰＳ構成に対応するＨＡＲＱプロセスの識別子オフセットに従って決定されるステップは、以下の様式を使用することによって、ＨＡＲＱプロセスの識別子を決定するステップを含み、
【化５】
0006902115.tif 000022
【００５０】
式中、ＨＡＲＱ＿ＰＩＤは、ＨＡＲＱプロセスの識別子を示し、ａは、ＳＰＳ構成に対応するＨＡＲＱプロセスの識別子オフセットであって、Ｔは、ＳＰＳ構成に対応するＳＰＳ間隔であって、ｍは、ＳＰＳ構成に対応するＳＰＳ  ＨＡＲＱプロセスの数であって、
【化６】
0006902115.tif 000023
は、切り捨てのための演算子であって、ＭＯＤは、モジュロ演算子であって、
【００５１】
ｔは、以下の様式を通して計算され、
【００５２】
【化７】
0006902115.tif 000024
または
【００５３】
【化８】
0006902115.tif 000025
【００５４】
式中、ｎ＿ＳＦＮは、ＨＡＲＱプロセスによって使用されるＳＰＳ無線リソースに対応するシステムフレーム番号であって、Ｍは、１つの無線フレーム内に含まれる無線サブフレームの数であって、ｎ＿Ｓｕｄは、ＨＡＲＱプロセスによって使用されるＳＰＳ無線リソースに対応する無線サブフレーム番号であって、Ｎ＿ｓｏｌｔは、１つのサブフレーム内に含まれるスロットの数であって、ｎ＿ｓｌｏｔは、ＨＡＲＱプロセスによって使用されるＳＰＳ無線リソースに対応するスロットシリアル番号である。
【００５５】
ＨＡＲＱプロセスは、構成アップリンクグラントを使用したアップリンクＨＡＲＱプロセス、または構成ダウンリンク割当を使用したダウンリンクＨＡＲＱプロセスである。アップリンクＨＡＲＱプロセスに関して、ＳＰＳ無線リソースは、構成アップリンクグラントを指し、ＨＡＲＱプロセスの識別子オフセットは、アップリンク伝送のためのアップリンクＨＡＲＱプロセスの識別子オフセットを指し、ＳＰＳ  ＨＡＲＱプロセスの数は、構成アップリンクグラントを使用したアップリンクＨＡＲＱプロセスの数を指す。ダウンリンクＨＡＲＱプロセスに関して、ＳＰＳ無線リソースは、構成ダウンリンク割当を指し、ＨＡＲＱプロセスの識別子オフセットは、ダウンリンクＨＡＲＱプロセスの識別子オフセットを指し、ＳＰＳ  ＨＡＲＱプロセスの数は、構成ダウンリンク割当を使用したダウンリンクＨＡＲＱプロセスの数を指す。
【００５６】
ある実施形態では、アクセスネットワークのネットワーク側ネットワーク要素が、ユーザ機器のためにＳＰＳ構成に対応するＨＡＲＱプロセスの識別子オフセットを構成するとき、異なるＳＰＳ構成に対応するプロセス識別子オフセットの値は、異なる。ＨＡＲＱプロセス識別子オフセットは、無線リソース制御（ＲＲＣ）メッセージを通して、ユーザ機器に伝送されてもよい。
【００５７】
ある実施形態では、ユーザ機器と合意された様式でＳＰＳ構成に対応するＨＡＲＱプロセスの識別子オフセットを決定するステップは、ユーザ機器の複数のＳＰＳ構成内のＳＰＳ構成のソート位置を決定するステップと、ＳＰＳ構成のソート位置に従って、ＳＰＳ構成に対応するＨＡＲＱプロセスの識別子オフセットを決定するステップとを含む。ｓの第１のソート位置を伴うＳＰＳ構成のＨＡＲＱプロセスの識別子オフセットａ１は、固定値であって、ａ１は、０または自然数であって、第１のソート位置を伴うＳＰＳ構成以外の複数のＳＰＳ構成のうちの任意の１つのＨＡＲＱプロセスの識別子オフセットａｉは、以下の条件を満たし、
【００５８】
【化９】
0006902115.tif 000026
【００５９】
式中、ｍｉは、ｉ番目のＳＰＳ構成に対応するＳＰＳ  ＨＡＲＱプロセスの数である。
【００６０】
ある実施形態では、ユーザ機器の複数のＳＰＳ構成内のＳＰＳ構成のソート位置を決定するステップは、以下の様式のうちの任意の１つ、すなわち、ＲＲＣ構成メッセージ内の複数のＳＰＳ構成の出現の順序に従って、複数のＳＰＳ構成をソートするステップと、それぞれ、複数のＳＰＳ構成によって使用される、無線リソースの時間ドメインユニットのサイズまたは伝送時間間隔（ＴＴＩ）持続時間のサイズに従って、複数のＳＰＳ構成をソートするステップと、複数のＳＰＳ構成の最初のアクティブ化の時間順序に従って、複数のＳＰＳ構成をソートするステップと、構成メッセージ内の複数のＳＰＳ構成の指定されるシーケンス番号に従って、複数のＳＰＳ構成をソートするステップとを使用することによって、複数のＳＰＳ構成の順序を決定するステップを含む。構成メッセージは、ＲＲＣメッセージであってもよい。
【００６１】
実施形態２
【００６２】
図４に示されるように、本開示の実施形態は、ユーザ機器に適用される、半持続的スケジューリングを使用してハイブリッド自動反復要求を伝送するための方法を提供し、下記に説明されるステップを含む。
【００６３】
ステップＳ４１０では、ＳＰＳ無線リソースを使用したＨＡＲＱプロセスの識別子オフセットが、決定され、ＨＡＲＱプロセスの識別子が、ＨＡＲＱプロセスの識別子オフセットに従って決定される。
【００６４】
ステップＳ４２０では、ＨＡＲＱプロセスの識別子に対応するＨＡＲＱプロセスの伝送が、アクセスネットワークのネットワーク側ネットワーク要素を用いて実施される。
【００６５】
ある実施形態では、ＳＰＳ無線リソースを使用したＨＡＲＱプロセスの識別子オフセットが決定されるステップは、ユーザ機器のために、アクセスネットワークのネットワーク側ネットワーク要素によって構成される、ＳＰＳ構成に対応するＨＡＲＱプロセスの識別子オフセットを受信するステップ、またはアクセスネットワークのネットワーク側ネットワーク要素と合意された様式でＳＰＳ構成に対応するＨＡＲＱプロセスの識別子オフセットを決定するステップを含む。
【００６６】
ある実施形態では、ＨＡＲＱプロセスの識別子がＳＰＳ構成に対応するＨＡＲＱプロセスの識別子オフセットに従って決定されるステップは、以下の様式を使用することによって、ＨＡＲＱプロセスの識別子を決定するステップを含み、
【００６７】
【化１０】
0006902115.tif 000027
【００６８】
式中、ＨＡＲＱ＿ＰＩＤは、ＨＡＲＱプロセスの識別子を示し、ａは、ＳＰＳ構成に対応するＨＡＲＱプロセスの識別子オフセットであって、Ｔは、ＳＰＳ構成に対応するＳＰＳ間隔であって、ｍは、ＳＰＳ構成に対応するＳＰＳ  ＨＡＲＱプロセスの数であって、
【化１１】
0006902115.tif 000028
は、切り捨てのための演算子であって、ＭＯＤは、モジュロ演算子であって、ｔは、以下の様式を通して計算され、
【００６９】
【化１２】
0006902115.tif 000029
または
【００７０】
【化１３】
0006902115.tif 000030
【００７１】
式中、ｎ＿ＳＦＮは、ＨＡＲＱプロセスによって使用されるＳＰＳ無線リソースに対応するシステムフレーム番号であって、Ｍは、１つの無線フレーム内に含まれる無線サブフレームの数であって、ｎ＿Ｓｕｄは、ＨＡＲＱプロセスによって使用されるＳＰＳ無線リソースに対応する無線サブフレーム番号であって、Ｎ＿ｓｏｌｔは、１つのサブフレーム内に含まれるスロットの数であって、ｎ＿ｓｌｏｔは、ＨＡＲＱプロセスによって使用されるＳＰＳ無線リソースに対応するスロットシリアル番号である。
【００７２】
ＨＡＲＱプロセスは、構成アップリンクグラントを使用したアップリンクＨＡＲＱプロセス、または構成ダウンリンク割当を使用したダウンリンクＨＡＲＱプロセスである。アップリンクＨＡＲＱプロセスに関して、ＳＰＳ無線リソースは、構成アップリンクグラントを指し、ＨＡＲＱプロセスの識別子オフセットは、アップリンク伝送のためのアップリンクＨＡＲＱプロセスの識別子オフセットを指し、ＳＰＳ  ＨＡＲＱプロセスの数は、構成アップリンクグラントを使用したアップリンクＨＡＲＱプロセスの数を指す。ダウンリンクＨＡＲＱプロセスに関して、ＳＰＳ無線リソースは、構成ダウンリンク割当を指し、ＨＡＲＱプロセスの識別子オフセットは、ダウンリンクＨＡＲＱプロセスの識別子オフセットを指し、ＳＰＳ  ＨＡＲＱプロセスの数は、構成ダウンリンク割当を使用したダウンリンクＨＡＲＱプロセスの数を指す。
【００７３】
ある実施形態では、アクセスネットワークのネットワーク側ネットワーク要素が、ユーザ機器のために、ＳＰＳ構成に対応するＨＡＲＱプロセスの識別子オフセットを構成するとき、異なるＳＰＳ構成に対応するプロセス識別子オフセットの値は、異なる。ユーザ機器は、ＲＲＣメッセージを通して、アクセスネットワークのネットワーク側ネットワーク要素によって構成されるＨＡＲＱプロセスの識別子を受信してもよい。
【００７４】
ある実施形態では、アクセスネットワークのネットワーク側ネットワーク要素と合意された様式でＳＰＳ構成に対応するＨＡＲＱプロセスの識別子オフセットを決定するステップは、ユーザ機器の複数のＳＰＳ構成内のＳＰＳ構成のソート位置を決定するステップと、ＳＰＳ構成のソート位置に従って、ＳＰＳ構成に対応するＨＡＲＱプロセスの識別子オフセットを決定するステップとを含む。第１のソート位置を伴うＳＰＳ構成のＨＡＲＱプロセスの識別子オフセットａ１は、固定値であって、ａ１は、０または自然数であって、第１のソート位置を伴うＳＰＳ構成以外の複数のＳＰＳ構成のうちの任意の１つのＨＡＲＱプロセスの識別子オフセットａｉは、以下の条件を満たし、
【００７５】
【化１４】
0006902115.tif 000031
【００７６】
式中、ｍｉは、ｉ番目のＳＰＳ構成に対応するＳＰＳ  ＨＡＲＱプロセスの数である。
【００７７】
ある実施形態では、ユーザ機器の複数のＳＰＳ構成内のＳＰＳ構成のソート位置を決定するステップは、以下の様式のうちの任意の１つ、すなわち、ＲＲＣ構成メッセージ内の複数のＳＰＳ構成の出現の順序に従って、複数のＳＰＳ構成をソートするステップと、それぞれ、複数のＳＰＳ構成によって使用される、無線リソースの時間ドメインユニットのサイズまたはＴＴＩ持続時間のサイズに従って、複数のＳＰＳ構成をソートするステップと、複数のＳＰＳ構成の最初のアクティブ化の時間順序に従って、複数のＳＰＳ構成をソートするステップと、構成メッセージ内の複数のＳＰＳ構成の指定されるシーケンス番号に従って、複数のＳＰＳ構成をソートするステップとを使用することによって、複数のＳＰＳ構成の順序を決定するステップを含む。構成メッセージは、ＲＲＣメッセージであってもよい。
【００７８】
実施形態３
【００７９】
図５に示されるように、本開示の実施形態は、アクセスネットワークのネットワーク側ネットワーク要素に適用され、ＨＡＲＱプロセス識別子決定モジュール５０１と、ＨＡＲＱプロセス伝送モジュール５０２とを含む、半持続的スケジューリングを使用してハイブリッド自動反復要求を伝送するための装置を提供する。
【００８０】
ＨＡＲＱプロセス識別子決定モジュール５０１は、ＳＰＳ無線リソースを使用して、ＨＡＲＱプロセスの識別子オフセットを決定し、ＨＡＲＱプロセスの識別子オフセットに従って、ＨＡＲＱプロセスの識別子を決定するように配列される。
【００８１】
ＨＡＲＱプロセス伝送モジュール５０２は、ユーザ機器を用いて、ＨＡＲＱプロセスの識別子に対応するＨＡＲＱプロセスの伝送を実施するように配列される。
【００８２】
ある実施形態では、ＨＡＲＱプロセス識別子決定モジュール５０１は、以下の様式、すなわち、ユーザ機器のためにＳＰＳ構成に対応するＨＡＲＱプロセスの識別子オフセットを構成するステップ、またはユーザ機器と合意された様式でＳＰＳ構成に対応するＨＡＲＱプロセスの識別子オフセットを決定するステップを使用することによって、ＳＰＳ無線リソースを使用してＨＡＲＱプロセスの識別子オフセットを決定するように配列される。
【００８３】
ある実施形態では、ＨＡＲＱプロセス識別子決定モジュール５０１は、以下の様式を使用することによって、ＨＡＲＱプロセスの識別子を決定するステップによって、ＳＰＳ構成に対応するＨＡＲＱプロセスの識別子オフセットに従って、ＨＡＲＱプロセスの識別子を決定するように配列され、
【００８４】
【化１５】
0006902115.tif 000032
【００８５】
式中、ＨＡＲＱ＿ＰＩＤは、ＨＡＲＱプロセスの識別子を示し、ａは、ＳＰＳ構成に対応するＨＡＲＱプロセスの識別子オフセットであって、Ｔは、ＳＰＳ構成に対応するＳＰＳ間隔であって、ｍは、ＳＰＳ構成に対応するＳＰＳ  ＨＡＲＱプロセスの数であって、
【化１６】
0006902115.tif 000033
は、切り捨てのための演算子であって、ＭＯＤは、モジュロ演算子であって、ｔは、以下の様式を通して計算され、
【００８６】
【化１７】
0006902115.tif 000034
または
【００８７】
【化１８】
0006902115.tif 000035
【００８８】
式中、ｎ＿ＳＦＮは、ＨＡＲＱプロセスによって使用されるＳＰＳ無線リソースに対応するシステムフレーム番号であって、Ｍは、無線フレーム内に含まれる無線サブフレームの数であって、ｎ＿Ｓｕｄは、ＨＡＲＱプロセスによって使用されるＳＰＳ無線リソースに対応する無線サブフレーム番号であって、Ｎ＿ｓｏｌｔは、サブフレーム内に含まれるスロットの数であって、ｎ＿ｓｌｏｔは、ＨＡＲＱプロセスによって使用されるＳＰＳ無線リソースに対応するスロットシリアル番号である。
【００８９】
ＨＡＲＱプロセスは、構成アップリンクグラントを使用したアップリンクＨＡＲＱプロセス、または構成ダウンリンク割当を使用したダウンリンクＨＡＲＱプロセスである。アップリンクＨＡＲＱプロセスに関して、ＳＰＳ無線リソースは、構成アップリンクグラントを指し、ＨＡＲＱプロセスの識別子オフセットは、アップリンク伝送のためのアップリンクＨＡＲＱプロセスの識別子オフセットを指し、ＳＰＳ  ＨＡＲＱプロセスの数は、構成アップリンクグラントを使用したアップリンクＨＡＲＱプロセスの数を指す。ダウンリンクＨＡＲＱプロセスに関して、ＳＰＳ無線リソースは、構成ダウンリンク割当を指し、ＨＡＲＱプロセスの識別子オフセットは、ダウンリンクＨＡＲＱプロセスの識別子オフセットを指し、ＳＰＳ  ＨＡＲＱプロセスの数は、構成ダウンリンク割当を使用したダウンリンクＨＡＲＱプロセスの数を指す。
【００９０】
ある実施形態では、ＨＡＲＱプロセス識別子決定モジュール５０１は、以下の様式、すなわち、ユーザ機器の複数のＳＰＳ構成内のＳＰＳ構成のソート位置を決定するステップと、ＳＰＳ構成のソート位置に従って、ＳＰＳ構成に対応するＨＡＲＱプロセスの識別子オフセットを決定するステップとを使用することによって、ユーザ機器と合意された様式でＳＰＳ構成に対応するＨＡＲＱプロセスの識別子オフセットを決定するように配列される。第１のソート位置を伴うＳＰＳ構成のＨＡＲＱプロセスの識別子オフセットａ１は、固定値であって、ａ１は、０または自然数であって、第１のソート位置を伴うＳＰＳ構成以外の複数のＳＰＳ構成のうちの任意の１つのＨＡＲＱプロセスの識別子オフセットａｉは、以下の条件を満たし、
【００９１】
【化１９】
0006902115.tif 000036
【００９２】
式中、ｍｉは、ｉ番目のＳＰＳ構成に対応するＳＰＳ  ＨＡＲＱプロセスの数である。
【００９３】
ある実施形態では、ＨＡＲＱプロセス識別子決定モジュール５０１は、以下の様式のうちの任意の１つ、すなわち、ＲＲＣ構成メッセージ内の複数のＳＰＳ構成の出現の順序に従って、複数のＳＰＳ構成をソートするステップと、それぞれ、複数のＳＰＳ構成によって使用される、無線リソースの時間ドメインユニットのサイズまたはＴＴＩ持続時間のサイズに従って、複数のＳＰＳ構成をソートするステップと、複数のＳＰＳ構成の最初のアクティブ化の時間順序に従って、複数のＳＰＳ構成をソートするステップと、構成メッセージ内の複数のＳＰＳ構成の指定されるシーケンス番号に従って、複数のＳＰＳ構成をソートするステップとを使用することによって、複数のＳＰＳ構成の順序を決定することによって、ユーザ機器の複数のＳＰＳ構成内のＳＰＳ構成のソート位置を決定するように配列される。
【００９４】
実施形態４
【００９５】
図６に示されるように、本開示の実施形態は、ユーザ機器に適用され、ＨＡＲＱプロセス識別子決定モジュール６０１と、ＨＡＲＱプロセス伝送モジュール６０２とを含む、半持続的スケジューリングを使用してハイブリッド自動反復要求を伝送するための装置を提供する。
【００９６】
ＨＡＲＱプロセス識別子決定モジュール６０１は、ＳＰＳ無線リソースを使用して、ＨＡＲＱプロセスの識別子オフセットを決定し、ＨＡＲＱプロセスの識別子オフセットに従って、ＨＡＲＱプロセスの識別子を決定するように配列される。
【００９７】
ＨＡＲＱプロセス伝送モジュール６０２は、アクセスネットワークのネットワーク側ネットワーク要素を用いて、ＨＡＲＱプロセスの識別子に対応するＨＡＲＱプロセスの伝送を実施するステップように配列される。
【００９８】
ある実施形態では、ＨＡＲＱプロセス識別子決定モジュール６０１は、以下の様式、すなわち、ユーザ機器のために、アクセスネットワークのネットワーク側ネットワーク要素によって構成される、ＳＰＳ構成に対応するＨＡＲＱプロセスの識別子オフセットを受信するステップ、またはアクセスネットワークのネットワーク側ネットワーク要素と合意された様式でＳＰＳ構成に対応するＨＡＲＱプロセスの識別子オフセットを決定するステップを使用することによって、ＳＰＳ無線リソースを使用してＨＡＲＱプロセスの識別子オフセットを決定するように配列される。
【００９９】
ある実施形態では、ＨＡＲＱプロセス識別子決定モジュール６０１は、以下の様式を使用することによって、ＨＡＲＱプロセスの識別子を決定することによって、ＳＰＳ構成に対応するＨＡＲＱプロセスの識別子オフセットに従ってＨＡＲＱプロセスの識別子を決定するように配列され、
【０１００】
【化２０】
0006902115.tif 000037
【０１０１】
式中、ＨＡＲＱ＿ＰＩＤは、ＨＡＲＱプロセスの識別子を示し、ａは、ＳＰＳ構成に対応するＨＡＲＱプロセスの識別子オフセットであって、Ｔは、ＳＰＳ構成に対応するＳＰＳ間隔であって、ｍは、ＳＰＳ構成に対応するＳＰＳ  ＨＡＲＱプロセスの数であって、
【化２１】
0006902115.tif 000038
は、切り捨てのための演算子であって、ＭＯＤは、モジュロ演算子であって、ｔは、以下の様式を通して計算され、
【０１０２】
【化２２】
0006902115.tif 000039
または
【０１０３】
【化２３】
0006902115.tif 000040
【０１０４】
式中、ｎ＿ＳＦＮは、ＨＡＲＱプロセスによって使用されるＳＰＳ無線リソースに対応するシステムフレーム番号であって、Ｍは、無線フレーム内に含まれる無線サブフレームの数であって、ｎ＿Ｓｕｄは、ＨＡＲＱプロセスによって使用されるＳＰＳ無線リソースに対応する無線サブフレーム番号であって、Ｎ＿ｓｏｌｔは、サブフレーム内に含まれるスロットの数であって、ｎ＿ｓｌｏｔは、ＨＡＲＱプロセスによって使用されるＳＰＳ無線リソースに対応するスロットシリアル番号である。
【０１０５】
ある実施形態では、ＨＡＲＱプロセス識別子決定モジュール６０１は、以下の様式、すなわち、ユーザ機器の複数のＳＰＳ構成内のＳＰＳ構成のソート位置を決定するステップと、ＳＰＳ構成のソート位置に従って、ＳＰＳ構成に対応するＨＡＲＱプロセスの識別子オフセットを決定するステップとを使用することによって、アクセスネットワークのネットワーク側ネットワーク要素と合意された様式でＳＰＳ構成に対応するＨＡＲＱプロセスの識別子オフセットを決定するように配列される。第１のソート位置を伴うＳＰＳ構成のＨＡＲＱプロセスの識別子オフセットａ１は、固定値であって、ａ１は、０または自然数であって、第１のソート位置を伴うＳＰＳ構成以外の複数のＳＰＳ構成のうちの任意の１つのＨＡＲＱプロセスの識別子オフセットａｉは、以下の条件を満たし、
【０１０６】
【化２４】
0006902115.tif 000041
【０１０７】
式中、ｍｉは、ｉ番目のＳＰＳ構成に対応するＳＰＳ  ＨＡＲＱプロセスの数である。
【０１０８】
ある実施形態では、ＨＡＲＱプロセス識別子決定モジュール６０１は、以下の様式のうちの任意の１つ、すなわち、ＲＲＣ構成メッセージ内の複数のＳＰＳ構成の出現の順序に従って、複数のＳＰＳ構成をソートするステップと、それぞれ、複数のＳＰＳ構成によって使用される、無線リソースの時間ドメインユニットのサイズまたはＴＴＩ持続時間のサイズに従って、複数のＳＰＳ構成をソートするステップと、複数のＳＰＳ構成の最初のアクティブ化の時間順序に従って、複数のＳＰＳ構成をソートするステップと、構成メッセージ内の複数のＳＰＳ構成の指定されるシーケンス番号に従って、複数のＳＰＳ構成をソートするステップとを使用することによって、複数のＳＰＳ構成の順序を決定することによって、ユーザ機器の複数のＳＰＳ構成内のＳＰＳ構成のソート位置を決定するように配列される。
【０１０９】
ある実施形態では、ＨＡＲＱプロセスは、構成アップリンクグラントを使用したアップリンクＨＡＲＱプロセス、または構成ダウンリンク割当を使用したダウンリンクＨＡＲＱプロセスである。アップリンクＨＡＲＱプロセスに関して、ＳＰＳ無線リソースは、構成アップリンクグラントを指し、ＨＡＲＱプロセスの識別子オフセットは、アップリンク伝送のためのアップリンクＨＡＲＱプロセスの識別子オフセットを指し、ＳＰＳ  ＨＡＲＱプロセスの数は、構成アップリンクグラントを使用したアップリンクＨＡＲＱプロセスの数を指す。ダウンリンクＨＡＲＱプロセスに関して、ＳＰＳ無線リソースは、構成ダウンリンク割当を指し、ＨＡＲＱプロセスの識別子オフセットは、ダウンリンクＨＡＲＱプロセスの識別子オフセットを指し、ＳＰＳ  ＨＡＲＱプロセスの数は、構成ダウンリンク割当を使用したダウンリンクＨＡＲＱプロセスの数を指す。
【０１１０】
半持続的スケジューリングを使用してハイブリッド自動反復要求の伝送を実施するとき、前述の実施形態３および実施形態４によって提供される半持続的スケジューリングを使用してハイブリッド自動反復要求を伝送するための装置は、個別の前述のプログラムモジュールの分割によってのみ図示されるが、実践的使用では、上記の処理は、実装するための異なるプログラムモジュールの必要性に従って配分されてもよい、すなわち、装置の内部構造は、上記に説明される処理の全部または一部を完了するために、異なるプログラムモジュールに分割されることに留意されたい。加えて、本開示の前述の実施形態によって提供される、半持続的スケジューリングを使用してハイブリッド自動反復要求を伝送するための装置、および前述の実施形態１または実施形態２によって提供される、半持続的スケジューリングを使用してハイブリッド自動反復要求を伝送するための方法は、同一概念に属し、装置の実装プロセスの詳細に関しては、方法実施形態を参照されたい（本明細書では繰り返されないものとする）。
【０１１１】
実施形態５
【０１１２】
本開示の実施形態はさらに、半持続的スケジューリングを使用してハイブリッド自動反復要求を伝送するための装置を提供する。本装置は、プロセッサと、プロセッサ内で実行可能なコンピュータプログラムを記憶するように配列される、メモリとを含む。プロセッサは、実行されると、本開示の実施形態１および実施形態２のうちの任意の１つに説明される、半持続的スケジューリングを使用してハイブリッド自動反復要求を伝送するための方法を実行する、コンピュータプログラムを実行するように配列される。
【０１１３】
メモリは、揮発性メモリまたは不揮発性メモリであってもよい、または揮発性メモリおよび不揮発性メモリの両方を含んでもよいことを理解されたい。本開示の実施形態に説明されるメモリは、限定ではないが、任意の他の好適なタイプのメモリを含むように意図される。
【０１１４】
本開示の実施形態によって開示される本方法は、プロセッサに適用されてもよい、またはプロセッサによって実装されてもよい。プロセッサは、信号処理能力を有する、集積回路チップであってもよい。実装プロセスでは、上記の方法の各ステップは、ハードウェアの集積論理回路またはプロセッサ内のソフトウェア命令によって完了されてもよい。プロセッサは、本開示の実施形態に開示される、種々の方法、ステップ、および論理ブロック図を実装または実行してもよい。汎用プロセッサは、マイクロプロセッサ、任意の従来のプロセッサ、または同等物であってもよい。本開示の実施形態に開示される方法のステップは、直接、ハードウェアデコーディングプロセッサによって実装されてもよい、またはハードウェアおよびデコーディングプロセッサ内のソフトウェアモジュールの組み合わせによって実装されてもよい。ソフトウェアモジュールは、メモリ内に配置される記憶媒体内に配置されてもよく、プロセッサは、メモリ内の情報を読み取り、上記の方法のステップをそのハードウェアの組み合わせにおいて実装する。
【０１１５】
実施形態６
【０１１６】
本開示の実施形態はさらに、プロセッサによって実行されると、実施形態１に説明される半持続的スケジューリングを使用してハイブリッド自動反復要求を伝送するための方法のステップを実装する、または実施形態２に説明される半持続的スケジューリングを使用してハイブリッド自動反復要求を伝送するための方法のステップを実行する、コンピュータプログラムを記憶するように配列される、コンピュータ記憶媒体を提供する。
（実施例）
【０１１７】
（実施例１）
【０１１８】
以下は、実施例を通して、アクセスネットワークのネットワーク側ネットワーク要素が、ユーザ機器（ＵＥ）のためにアップリンクＨＡＲＱプロセスの識別子を構成するステップと、アップリンクＨＡＲＱプロセスの識別子オフセットに従って、アップリンクＨＡＲＱプロセスの識別子を決定するステップと、アップリンクＨＡＲＱを伝送するステップとを説明する。
【０１１９】
アクセスネットワークのネットワーク側ネットワーク要素が、ＵＥのために複数のＳＰＳ構成を構成するとき、各ＳＰＳ構成は、少なくとも、アップリンクＳＰＳ間隔およびアップリンクＳＰＳプロセスの数を含む。ある構成アップリンクグラントに関して、構成アップリンクグラントと関連付けられたアップリンクＨＡＲＱプロセスの識別子は、以下の様式を通して決定される。
【０１２０】
【化２５】
0006902115.tif 000042
【０１２１】
式（２−１）では、オフセットは、アップリンクグラントが属するＳＰＳ構成に対応する、アップリンクＨＡＲＱプロセス識別子オフセット値（オフセットと省略される）であって、ｆｌｏｏｒは、整数演算（切り捨て）であって、ｍｏｄｕｌｏは、剰余演算であって、Ｔ＿ＳＰＳは、ＳＰＳ構成のアップリンクＳＰＳ間隔であって、ｎ＿Ｐは、ＳＰＳ構成のアップリンクＨＡＲＱプロセスの数である。ＨＡＲＱプロセス識別子オフセットは、ＲＲＣメッセージを通して、ＵＥに伝送される。
【０１２２】
ＳＰＳ構成の無線リソース（構成アップリンクグラント）の時間ドメインユニットが、無線サブフレームである場合、
【化２６】
0006902115.tif 000043
である。
【０１２３】
式（２−２）では、ｎ＿ＳＦＮは、構成アップリンクグラントのシステムフレーム番号（ＳＮＦ）であって、ｎ＿Ｓｕｂは、構成アップリンクグラントの無線サブフレーム番号であって、Ｔは、無線フレーム内に含まれる無線サブフレームの数である。
【０１２４】
ＳＰＳ構成の無線リソース（構成アップリンクグラント）の時間ドメインユニットが、スロットである場合、
【０１２５】
【化２７】
0006902115.tif 000044
である。
【０１２６】
式（２−３）では、Ｎ＿ｓｏｌｔは、１つのサブフレーム内に含まれるスロットの数であって、ｎ＿ｓｌｏｔは、構成アップリンクグラントのスロットシリアル番号である。
【０１２７】
随意の実施形態では、アクセスネットワークのネットワーク側ネットワーク要素は、１つのキャリアまたは１つのセル内のＵＥによって構成される複数のＳＰＳ構成のアップリンクＳＰＳプロセスの数に従って、ＳＰＳプロセス識別子オフセットを構成する。
【０１２８】
例えば、あるＵＥに関して、３つのＳＰＳ構成が、あるキャリア内に構成される。ＳＰＳ構成１によって構成されるアップリンクＳＰＳ  ＨＡＲＱプロセスの数は、Ｎ１であって、ＳＰＳ構成２によって構成されるアップリンクＳＰＳ  ＨＡＲＱプロセスの数は、Ｎ２であって、ＳＰＳ構成３によって構成されるアップリンクＳＰＳ  ＨＡＲＱプロセスの数は、Ｎ３である。ＳＰＳ構成１のためにネットワーク側ネットワーク要素によって構成されるオフセットは、Ｍ１であって、ＳＰＳ構成２のために構成されるオフセットは、Ｍ２であって、これは、Ｍ１＋Ｎ１と等しく、ＳＰＳ構成３のために構成されるオフセットは、Ｍ３であって、これは、Ｍ２＋Ｎ２と等しい。
【０１２９】
アップリンクＨＡＲＱプロセス識別子が、決定された後、アップリンクＨＡＲＱは、以下の方法を通して伝送される。図７に示されるように、アクセスネットワークのネットワーク側ネットワーク要素は、あるＳＰＳ構成に対応するアップリンクグラント上でＵＥのアップリンク伝送を受信する。アクセスネットワークのネットワーク側ネットワーク要素が、ＵＥにアップリンク伝送を再伝送することを要求する場合、アクセスネットワークのネットワーク側ネットワーク要素は、再伝送のためのアップリンクグラント（ＵＬグラント）をＵＥに伝送し、対応する物理ダウンリンク制御チャネル（ＰＤＣＣＨ）シグナリングＤＣＩ内で再伝送される必要があるアップリンクＨＡＲＱプロセスの識別子を示す。ＵＥは、対応するＤＣＩに従って、再伝送のためのアップリンクグラントによって示されるアップリンクＨＡＲＱプロセス識別子を受信し、再伝送される必要があるＨＡＲＱプロセスを把握し、再伝送のためのアップリンクグラントに従って、アップリンク伝送を再伝送する。
【０１３０】
（実施例２）
【０１３１】
以下は、実施例を通して、アクセスネットワークのネットワーク側ネットワーク要素およびＵＥが、合意される様式でアップリンクＨＡＲＱプロセスの識別子オフセットを決定するステップと、アップリンクＨＡＲＱプロセスの識別子オフセットに従って、アップリンクＨＡＲＱプロセスの識別子を決定するステップと、アップリンクＨＡＲＱを伝送するステップとを説明する。
【０１３２】
ある構成アップリンクグラントに関して、構成アップリンクグラントと関連付けられたアップリンクＨＡＲＱプロセスの識別子は、以下の様式を通して決定される。
【０１３３】
【化２８】
0006902115.tif 000045
【０１３４】
式（２−１）では、オフセットは、アップリンクグラントが属するＳＰＳ構成に対応する、アップリンクＨＡＲＱプロセス識別子オフセット値（オフセットと省略される）であって、ｆｌｏｏｒは、整数演算（切り捨て）であって、ｍｏｄｕｌｏは、剰余演算であって、Ｔ＿ＳＰＳは、ＳＰＳ構成のアップリンクＳＰＳ間隔であって、ｎ＿Ｐは、ＳＰＳ構成のアップリンクＨＡＱＲプロセスの数である。
【０１３５】
ＳＰＳ構成の無線リソース（構成アップリンクグラント）の時間ドメインユニットが、無線サブフレームである場合、
【化２９】
0006902115.tif 000046
である。
【０１３６】
式（２−２）では、ｎ＿ＳＦＮは、構成アップリンクグラントのＳＮＦであって、ｎ＿Ｓｕｂは、構成アップリンクグラントの無線サブフレーム番号であって、Ｔは、１つの無線フレーム内に含まれる無線サブフレームの数である。
【０１３７】
ＳＰＳ構成の無線リソース（構成アップリンクグラント）の時間ドメインユニットが、スロットである場合、
【０１３８】
【化３０】
0006902115.tif 000047
である。
【０１３９】
式（２−３）では、Ｎ＿ｓｏｌｔは、１つのサブフレーム内に含まれるスロットの数であって、ｎ＿ｓｌｏｔは、構成アップリンクグラントのスロットシリアル番号である。
【０１４０】
式（２−１）におけるオフセットは、下記に説明されるステップを含む以下の様式を通して、決定されてもよい。
【０１４１】
第１のステップでは、ユーザ機器の複数のＳＰＳ構成内のＳＰＳ構成のソート位置が、決定された。例えば、複数のＳＰＳ構成の順序が、以下の様式のうちの任意の１つ、すなわち、１）ＲＲＣ構成メッセージ内の複数のＳＰＳ構成の出現の順序に従って、複数のＳＰＳ構成をソートするステップと、２）それぞれ、複数のＳＰＳ構成によって使用される、無線リソースの時間ドメインユニットのサイズまたはＴＴＩ持続時間のサイズに従って、複数のＳＰＳ構成をソートするステップと、３）複数のＳＰＳ構成の最初のアクティブ化の時間順序に従って、複数のＳＰＳ構成をソートするステップと、４）構成メッセージ内の複数のＳＰＳ構成の指定されるシーケンス番号に従って、複数のＳＰＳ構成をソートするステップとを使用することによって、決定される。
【０１４２】
第２のステップでは、ＳＰＳ構成に対応するＨＡＲＱプロセスの識別子オフセットが、ＳＰＳ構成のソート位置に従って決定される。例えば、あるＳＰＳ構成のアップリンクＳＰＳプロセス識別子オフセットが、ソート後のＳＰＳ構成の前の全てのＳＰＳ構成のアップリンクＳＰＳプロセスの数の和＋第１のソート位置を伴うＳＰＳ構成のアップリンクＳＰＳプロセスの数（Ｎ０等）として決定される。Ｎ０の値は、０であってもよい、またはＲＲＣメッセージを通して、正の整数として構成されてもよい。
【０１４３】
例えば、あるＵＥに関して、３つのＳＰＳ構成が、セルＡ内で構成される。３つのＳＰＳ構成のアップリンクＳＰＳプロセスの数は、それぞれ、Ｎ１、Ｎ２、およびＮ３である。ＳＰＳ構成のソート結果が、順次、ＳＰＳ構成１、ＳＰＳ構成３、およびＳＰＳ構成２であると仮定すると、ＳＰＳ構成１のアップリンクＳＰＳ  ＨＡＲＱプロセス識別子オフセットである、オフセット１は、Ｎ０であって、ＳＰＳ構成３のアップリンクＳＰＳ  ＨＡＲＱプロセス識別子オフセットである、オフセット３は、Ｎ０＋Ｎ１であって、ＳＰＳ構成２のアップリンクＳＰＳ  ＨＡＲＱプロセス識別子オフセットである、オフセット２は、Ｎ０＋Ｎ１＋Ｎ２である。
【０１４４】
アクセスネットワークのネットワーク側ネットワーク要素は、あるＳＰＳ構成のアップリンクグラント上でＵＥのアップリンク伝送を受信する。アクセスネットワークのネットワーク側ネットワーク要素が、ＵＥにアップリンク伝送を再伝送することを要求する場合、アクセスネットワークのネットワーク側ネットワーク要素は、再伝送のためのアップリンクグラント（ＵＬグラント）をＵＥに伝送し、対応するＰＤＣＣＨシグナリングＤＣＩ内に再伝送される必要があるアップリンクＨＡＲＱプロセスの識別子を示す。
【０１４５】
ＵＥは、対応するＤＣＩに従って、再伝送のためのアップリンクグラントによって示されるアップリンクＨＡＲＱプロセス識別子を受信し、再伝送される必要があるＨＡＲＱプロセスを把握し、再伝送のためのアップリンクグラントに従って、アップリンク伝送を再伝送する。
【０１４６】
（実施例３）
【０１４７】
以下は、実施例を通して、アクセスネットワークのネットワーク側ネットワーク要素が、ＵＥのためにダウンリンクＨＡＲＱプロセスの識別子を構成するステップと、ダウンリンクＨＡＲＱプロセスの識別子オフセットに従って、ダウンリンクＨＡＲＱプロセスの識別子を決定するステップと、ダウンリンクＨＡＲＱを伝送するステップとを説明する。
【０１４８】
アクセスネットワークのネットワーク側ネットワーク要素が、ＵＥのために複数のＳＰＳ構成を構成するとき、各ＳＰＳ構成は、少なくとも、ダウンリンクＳＰＳ間隔およびダウンリンクＳＰＳプロセスの数を含む。
【０１４９】
ある構成ダウンリンク割当に関して、構成ダウンリンク割当と関連付けられたダウンリンクＨＡＲＱプロセスの識別子ＨＡＲＱ＿ＰＩＤは、以下の様式を通して決定される。
【０１５０】
【化３１】
0006902115.tif 000048
【０１５１】
式（２−１）では、オフセットは、ダウンリンク割当が属するＳＰＳ構成に対応する、ダウンリンクＨＡＲＱプロセス識別子オフセット値（オフセットと省略される）であって、ｆｌｏｏｒは、整数演算（切り捨て）であって、ｍｏｄｕｌｏは、剰余演算であって、Ｔ＿ＳＰＳは、ＳＰＳ構成のダウンリンクＳＰＳ間隔であって、ｎ＿Ｐは、ＳＰＳ構成のダウンリンクＨＡＱＲプロセスの数である。
【０１５２】
ＨＡＲＱプロセス識別子オフセットは、ＲＲＣメッセージを通して、ＵＥに伝送される。
【０１５３】
ＳＰＳ構成の無線リソース（構成ダウンリンク割当）の時間ドメインユニットが、無線サブフレームである場合、
【化３２】
0006902115.tif 000049
である。
【０１５４】
式（２−２）では、ｎ＿ＳＦＮは、構成ダウンリンク割当のＳＮＦであって、ｎ＿Ｓｕｂは、構成ダウンリンク割当の無線サブフレーム番号であって、Ｔは、１つの無線フレーム内に含まれる無線サブフレームの数である。
【０１５５】
ＳＰＳ構成の無線リソース（アップリンクグラント）の時間ドメインユニットが、スロットである場合、
【化３３】
0006902115.tif 000050
である。
【０１５６】
式（２−３）では、Ｎ＿ｓｏｌｔは、サブフレーム内に含まれるスロットの数であって、ｎ＿ｓｌｏｔは、構成ダウンリンク割当のスロットシリアル番号である。
【０１５７】
随意の実施形態では、アクセスネットワークのネットワーク側ネットワーク要素は、１つのキャリアまたは１つのセル内でＵＥによって構成される複数のＳＰＳ構成のダウンリンクＳＰＳプロセスの数に従って、ＳＰＳプロセス識別子オフセットを構成する。
【０１５８】
例えば、あるＵＥに関して、３つのＳＰＳ構成が、あるキャリア内に構成される。ＳＰＳ構成１によって構成されるダウンリンクＳＰＳ  ＨＡＲＱプロセスの数は、Ｎ１であって、ＳＰＳ構成２によって構成されるダウンリンクＳＰＳ  ＨＡＲＱプロセスの数は、Ｎ２であって、ＳＰＳ構成３によって構成されるダウンリンクＳＰＳ  ＨＡＲＱプロセスの数は、Ｎ３である。ＳＰＳ構成１のためにネットワーク側ネットワーク要素によって構成されるオフセットは、Ｍ１であって、ＳＰＳ構成２のために構成されるオフセットは、Ｍ２であって、これは、Ｍ１＋Ｎ１と等しく、ＳＰＳ構成３のために構成されるオフセットは、Ｍ３であって、これは、Ｍ２＋Ｎ２と等しい。
【０１５９】
ダウンリンクＨＡＲＱ伝送は、アクセスネットワークのネットワーク側ネットワーク要素とＵＥとの間で実施される。図８に示されるように、アクセスネットワークのネットワーク側ネットワーク要素は、あるＳＰＳ構成に対応するダウンリンク割当を通して、ダウンリンク伝送を伝送する。ＵＥが、負の確認応答（ＮＡＣＫ）をフィードバックする場合、アクセスネットワークのネットワーク側ネットワーク要素は、ダウンリンク伝送を再伝送し、対応するＰＤＣＣＨ  ＤＣＩ内で再伝送に対応するダウンリンクＨＡＲＱプロセス識別子を示す。ＵＥは、ＤＣＩを受信し、ＤＣＩ内に示されるＨＡＲＱプロセス識別子から本ダウンリンク伝送に対応するＨＡＲＱプロセスを把握する。
【０１６０】
（実施例４）
【０１６１】
以下は、実施例を通して、アクセスネットワークのネットワーク側ネットワーク要素およびＵＥが、合意される様式でダウンリンクＨＡＲＱプロセスの識別子オフセットを決定するステップと、ダウンリンクＨＡＲＱプロセスの識別子オフセットに従って、ダウンリンクＨＡＲＱプロセスの識別子を決定するステップと、ダウンリンクＨＡＲＱを伝送するステップとを説明する。
【０１６２】
ある構成ダウンリンク割当に関して、構成ダウンリンク割当と関連付けられたダウンリンクＨＡＲＱプロセスの識別子は、以下の様式を通して決定される。
【０１６３】
【化３４】
0006902115.tif 000051
【０１６４】
式（２−１）では、オフセットは、ダウンリンク割当が属するＳＰＳ構成に対応する、ダウンリンクＨＡＲＱプロセス識別子オフセット値（オフセットと省略される）であって、ｆｌｏｏｒは、整数演算（切り捨て）であって、ｍｏｄｕｌｏは、剰余演算であって、Ｔ＿ＳＰＳは、ＳＰＳ構成のダウンリンクＳＰＳ間隔であって、ｎ＿Ｐは、ＳＰＳ構成のダウンリンクＨＡＱＲプロセスの数である。
【０１６５】
ＳＰＳ構成の無線リソース（構成ダウンリンク割当）の時間ドメインユニットが、無線サブフレームである場合、
【化３５】
0006902115.tif 000052
である。
【０１６６】
式（２−２）では、ｎ＿ＳＦＮは、構成ダウンリンク割当のＳＮＦであって、ｎ＿Ｓｕｂは、構成ダウンリンク割当の無線サブフレーム番号であって、Ｔは、１つの無線フレーム内に含まれる無線サブフレームの数である。
【０１６７】
ＳＰＳ構成の無線リソース（構成アップリンクグラント）の時間ドメインユニットが、スロットである場合、
【化３６】
0006902115.tif 000053
である。
【０１６８】
式（２−３）では、Ｎ＿ｓｏｌｔは、１つのサブフレーム内に含まれるスロットの数であって、ｎ＿ｓｌｏｔは、構成ダウンリンク割当のスロットシリアル番号である。
【０１６９】
式（２−１）におけるオフセットは、下記に説明されるステップを含む以下の様式を通して、決定されてもよい。
【０１７０】
第１のステップでは、ユーザ機器の複数のＳＰＳ構成内のＳＰＳ構成のソート位置が、決定される。例えば、複数のＳＰＳ構成の順序は、以下の様式のうちの任意の１つ、すなわち、１）ＲＲＣ構成メッセージ内の複数のＳＰＳ構成の出現の順序に従って、複数のＳＰＳ構成をソートするステップと、２）それぞれ、複数のＳＰＳ構成によって使用される、無線リソースの時間ドメインユニットのサイズまたはＴＴＩ持続時間のサイズに従って、複数のＳＰＳ構成をソートするステップと、３）複数のＳＰＳ構成の最初のアクティブ化の時間順序に従って、複数のＳＰＳ構成をソートするステップと、４）構成メッセージ内の複数のＳＰＳ構成の指定されるシーケンス番号に従って、複数のＳＰＳ構成をソートするステップとを使用することによって決定される。
【０１７１】
第２のステップでは、ＳＰＳ構成に対応するＨＡＲＱプロセスの識別子オフセットは、ＳＰＳ構成のソート位置に従って決定される。例えば、あるＳＰＳ構成のダウンリンクＳＰＳプロセス識別子オフセットが、ソート後のＳＰＳ構成前の全てのＳＰＳ構成のダウンリンクＳＰＳプロセスの数の和＋第１のソート位置を伴うＳＰＳ構成のダウンリンクＳＰＳプロセスの数（Ｎ０等）として決定される。Ｎ０の値は、０であってもよい、またはＲＲＣメッセージを通して、正の整数として構成されてもよい。
【０１７２】
例えば、あるＵＥに関して、３つのＳＰＳ構成が、セルＡ内で構成される。３つのＳＰＳ構成のダウンリンクＳＰＳプロセスの数は、それぞれ、Ｎ１、Ｎ２、およびＮ３である。ＳＰＳ構成のソート結果が、順次、ＳＰＳ構成１、ＳＰＳ構成３、およびＳＰＳ構成２であると仮定すると、ＳＰＳ構成１のダウンリンクＳＰＳ  ＨＡＲＱプロセス識別子オフセットである、オフセット１は、Ｎ０であって、ＳＰＳ構成３のダウンリンクＳＰＳ  ＨＡＲＱプロセス識別子オフセットである、オフセット３は、Ｎ０＋Ｎ１であって、ＳＰＳ構成２のダウンリンクＳＰＳ  ＨＡＲＱプロセス識別子オフセットである、オフセット２は、Ｎ０＋Ｎ１＋Ｎ２である。
【０１７３】
アクセスネットワークのネットワーク側ネットワーク要素は、あるＳＰＳ構成に対応するダウンリンク割当を通して、ダウンリンク伝送を伝送する。ＵＥが、ＮＡＣＫをフィードバックする場合、アクセスネットワークのネットワーク側ネットワーク要素は、ダウンリンク伝送を再伝送し、対応するＰＤＣＣＨ  ＤＣＩ内で再伝送に対応するダウンリンクＨＡＲＱプロセス識別子を示す。ＵＥは、ＤＣＩを受信し、ＤＣＩ内に示されるＨＡＲＱプロセス識別子から本ダウンリンク伝送に対応するＨＡＲＱプロセスを把握する。
【０１７４】
本開示の実施形態によって提供される本方法は、異なるＨＡＲＱプロセス間の識別子競合を回避し、非同期ＨＡＲＱ伝送および再伝送を実装するように、ＳＰＳ構成の無線リソースを使用してＨＡＲＱプロセスの識別子を決定する、アクセスネットワークのネットワーク側ネットワーク要素およびＵＥのための方法を用いて、ＵＥが複数のＳＰＳ構成を構成するシナリオを提供する。
【０１７５】
本開示の実施形態に開示されるデバイスおよび方法は、他の方法で実装されてもよいことを理解されたい。上記に説明されるデバイス実施形態は、単に、例証である。例えば、ユニット分割は、単に、論理機能分割であって、実際は、ユニット分割は、他の方法で実装されてもよい。例えば、複数のユニットまたはコンポーネントが、組み合わせられてもよい、または別のシステムの中に統合されてもよい、またはいくつかの特徴は、省略される、または実行されなくてもよい。加えて、提示または議論されるコンポーネント間の結合、直接結合、または通信接続は、デバイスまたはユニット間のインターフェースを介した間接結合または通信接続であってよく、電気的、機械的、または他の形態であってもよい。
【０１７６】
別個のコンポーネントとして上記に説明されるユニットは、物理的に分離される場合とそうではない場合がある。ユニットとして提示されるコンポーネントは、物理ユニットである場合とそうではない場合がある、すなわち、１つの場所に位置してもよい、または複数のネットワークユニットにわたって分散されてもよい。これらのユニットの一部または全部は、本開示の実施形態におけるソリューションの目的を達成するための実際の要件に従って選択されてもよい。
【０１７７】
上記は、本開示の具体的実施形態のみであって、本開示を限定することを意図するものではない。当業者であれば、本開示の技術的範囲内の修正または代用を想起することが容易である。これらの修正または代用は、本開示の範囲内である。したがって、本開示の範囲保護は、添付の請求項の範囲に準拠する。
産業上の可用性
【０１７８】
本開示の技術的ソリューションでは、半持続的スケジューリング（ＳＰＳ）無線リソースを使用したハイブリッド自動反復要求（ＨＡＲＱ）プロセスの識別子オフセットが、決定され、ＨＡＲＱプロセスの識別子が、ＨＡＲＱプロセスの識別子オフセットに従って決定され、ＨＡＲＱプロセスの識別子に対応するＨＡＲＱプロセスの伝送は、アクセスネットワークのネットワーク側ネットワーク要素とユーザ機器との間で実施され、それによって、ＳＰＳ構成のＨＡＲＱプロセスの識別子を決定し、異なるＳＰＳ構成のＨＡＲＱプロセス識別子における競合を回避する。
【図１】
0006902115.tif 000074
【図２】
0006902115.tif 000075
【図３】
0006902115.tif 000076
【図４】
0006902115.tif 000077
【図５】
0006902115.tif 000078
【図６】
0006902115.tif 000079
【図７】
0006902115.tif 000080
【図８】
0006902115.tif 000081